(57)【要約】【課題】オーディミキサにおいて、５．１ｃｈサラウンド信号を１つのまとまりとして容易に扱えるようにする。【解決手段】複数の入力元からの５．１ｃｈサラウンド信号を割り当てた６本の入力ｃｈをサラウンドチャンネルグループに設定し、それら６本の入力ｃｈを、６本のサラウンドバスのそれぞれ対応するものに、１対１で接続する。よって、サラウンドチャンネルグループに設定するだけで、各入力ｃｈの信号（５．１ｃｈサラウンド用信号）を、各サラウンドバスに対応する複数の出力先（５．１ｃｈスピーカ）から取り出すことができる。サラウンドチャンネルグループに属する各入力チャンネルは、パラメータの値を変更する変更指示があったとき、サラウンドチャンネルグループ内のＬＥＦ以外の全入力ｃｈで一部のパラメータが連動して制御される。【選択図】図５
2010252295.tif 000002
【特許請求の範囲】
【請求項１】
入力元から供給されたオーディオ信号が１つずつ入力される複数の入力チャンネルと、
複数本のバスで構成されるサラウンドバスグループと、
前記複数の入力チャンネルのうち、前記サラウンドバスグループを構成するバスの本数に対応する個数の入力チャンネルを、サラウンドチャンネルグループに設定し、当該サラウンドチャンネルグループに属する入力チャンネルの少なくとも１つを、パラメータ非連動チャンネルとするチャンネルグループ設定手段と、
前記サラウンドバスグループに属する各バスに対して、前記サラウンドチャンネルグループに属する入力チャンネルを１つずつ接続する接続手段と、
前記サラウンドチャンネルグループに属する１つの入力チャンネルに対して、パラメータの値を変更する変更指示を受け付ける指示受付手段と、
前記変更指示を受け付けた入力チャンネルが、パラメータ非連動チャンネルであるかを確認する確認手段と、
前記確認手段においてパラメータ非連動チャンネルでないと確認された場合、前記サラウンドグループ内の入力チャンネルのうち、パラメータ非連動チャンネルではない入力チャンネルのパラメータの値を、前記変更指示に基づいて制御し、前記確認手段においてパラメータ非連動チャンネルであると確認された場合、前記変更指示を受け付けた入力チャンネルのみのパラメータの値を、前記変更指示に基づいて制御するパラメータ制御手段と
を備えるオーディオミキサ。
【請求項２】
前記複数の入力チャンネルは、前記サラウンドチャンネルグループを構成する入力チャンネルの個数以上の個数をひとつのブロックとして、複数の入力チャンネルブロックに分けられており、
前記チャンネルグループ設定手段は、
いずれか１つの入力チャンネルブロックを指定するチャンネルブロック指定手段と、
前記指定された入力チャンネルブロックに対して、当該入力チャンネルブロックに属する複数の入力チャンネルのグループ構成を規定するための、ブロックタイプを指定するブロックタイプ指定手段とを更に備え、
前記指定されたブロックタイプに基づいて、前記指定された入力チャンネルブロックに属する複数の入力チャンネルのうち、前記サラウンドバスグループを構成するバスの本数に対応する個数の入力チャンネルを、サラウンドチャンネルグループに設定し、当該サラウンドチャンネルグループに属する入力チャンネルの少なくとも１つを、パラメータ非連動チャンネルとする
ことを特徴とする請求項１に記載のオーディオミキサ。
【発明の詳細な説明】
【技術分野】
【０００１】
本発明は、オーディオミキサに関し、詳しくは、入力元の種類に応じた入力チャンネルの設定を制御する技術に関する。
【背景技術】
【０００２】
《５．１チャンネルサラウンド》
５．１チャンネルサラウンド（以下、「チャンネル」を「ｃｈ」とも表記する）は、６ｃｈのサラウンド環境に対応する音特性（音像定位等）が設定された６ｃｈのオーディオ信号（サラウンド信号）を、各ｃｈに対応する６個のスピーカを用いてオーディオ信号を再生することで、臨場感のあるサラウンド環境を実現するオーディオ信号の出力システムの構成である。サラウンド信号は、当該信号の聴取者の左前方用（Ｌ）、同右前方用（Ｒ）、同正面用（Ｃ）、同左後方用（Ｌｓ）、同右後方用（Ｒｓ）、及び低音出力サブウーファー用(ＬＦＥ（Low Frequency Effects）)という出力先の種類に応じた６種類のオーディオ信号を供給する。
すなわち、５．１ｃｈサラウンドでは、６個の入力元は１組にまとめて扱うもので、所定のサラウンド環境を再現するために、音量レベルや音像定位等の音特性のパラメータに関して、６個の入力元間で相互の関連性が予め決められている。
【０００３】
従来のオーディオミキサにおいて、例えば、５．１ｃｈサラウンド用の６個１組の入力元のオーディオ信号を入力する場合には、６個の入力元にそれぞれ１ｃｈずつ入力チャンネルが割り当てられ、６本の入力ｃｈの１ｃｈ毎にサラウンド用の信号が１つずつ入力される。そして、該各入力ｃｈを１つずつミキシングバスに接続し、各入力ｃｈ毎にバスに対する信号入力レベルの調整等を行い、それら６本のバスのオーディオ信号を、各バスに対応する６個のスピーカへ出力することにより、該５．１ｃｈサラウンド用のオーディオ信号をサラウンド環境で再生したり、５．１ｃｈサラウンド構成で録音したりしていた。
【０００４】
すなわち、従来のオーディオミキサでは、５．１ｃｈサラウンド等のように、複数の入力元間で相互の関連性が予め決められている複数の入力元を、それぞれ別々の入力ｃｈに割り当て、それぞれ独立した、相互に関連性のない入力元として取り扱うことしかできなかった。したがって、オペレータは、各入力ｃｈのパラメータの調整を、入力元の関連性を注意しながら各入力ｃｈ毎に行う必要があった。
また、サラウンド環境で再生されるべき複数の信号は所定の複数の出力先へ１チャンネルずつ出力されるべきものであるところ、従来のオーディオミキサでは、各入力ｃｈ毎のミキシングバスへの接続設定、及び、入力ｃｈ毎のバスへの出力レベル調整等の作業もまた、オペレータ自らが、入力元の関連性を注意しながら各入力ｃｈ毎に手動で行う必要があった。
【０００５】
従来のオーディオミキサにおいて、５．１ｃｈサラウンドなど、サラウンド環境を構成する複数の出力先へオーディオ信号を出力する機能（サラウンドモード）はあった。しかし、この機能は、１つの入力ｃｈのオーディオ信号を、所定の複数本のサラウンド用バスに出力することでサラウンド環境を実現する機能だった（下記非特許文献１の１４１ページ等）。
また、従来のオーディオミキサにおいて、複数の入力チャンネルを１組まとめて扱う機能として、ステレオペア設定という機能があった。これは、２つの入力ｃｈをペアに設定し、ステレオペアに設定した２つの入力ｃｈのパラメータを連動させる機能だった（下記非特許文献１の５３ページ等）。
【先行技術文献】
【非特許文献】
【０００６】
【非特許文献１】“PM5D/PM5D-RH V2,DSP5D 取扱説明書”、［online］、ヤマハ株式会社、［平成２１年３月１３日検索］、インターネット〈URL：http://www2.yamaha.co.jp/manual/pdf/pa/japan/mixers/pm5dv2_ja_om_g0.pdf〉
【発明の概要】
【発明が解決しようとする課題】
【０００７】
従来のオーディオミキサでは、もともとサラウンド用に作られた複数ｃｈのオーディオ信号をまとめて扱う設定を、ミキサの入力ｃｈで行うことができなかった。このため、５．１ｃｈサラウンド等のように、１組で扱うべき複数の入力元から供給された複数ｃｈのオーディオ信号について、入力元の関連性を注意しながら各入力ｃｈ毎のパラメータを調整し、且つ、これら１組で扱うべき複数ｃｈのオーディオ信号を、所定の関連性を持つ複数ｃｈのオーディオ信号として出力する（例えばサラウンド再生する）ためには、煩雑で手間のかかる作業が必要だった。
【０００８】
この発明は、上記の点に鑑みてなされたもので、複数個の入力元を１つのまとまりとして容易に扱えるようにしたオーディオミキサを提供することを目的とする。
【課題を解決するための手段】
【０００９】
この発明は、入力元から供給されたオーディオ信号が１つずつ入力される（詳しくは、オーディオ信号が１つずつ入力され、当該オーディオ信号に対して各種の信号処理を行う）複数の入力チャンネル（21）と、複数本のバスで構成されるサラウンドバスグループ（22）と、前記複数の入力チャンネルのうち、前記サラウンドバスグループを構成するバスの本数に対応する個数（詳しくは、バスの本数と同じ個数）の入力チャンネルを、サラウンドチャンネルグループに設定し（fig5,6，S2）、当該サラウンドチャンネルグループに属する入力チャンネルの少なくとも１つを、パラメータ非連動チャンネルとする（詳しくは、前記サラウンドチャンネルグループに属する各入力チャンネルを、パラメータ連動チャンネルもしくはパラメータ非連動チャンネルのいずれかとする）（S2）チャンネルグループ設定手段と、前記サラウンドバスグループに属する各バスに対して、前記サラウンドチャンネルグループに属する入力チャンネルを１つずつ接続する（詳しくは、１つずつ排他的に接続する）接続手段（S12,S13）と、前記サラウンドチャンネルグループに属する１つの入力チャンネルに対して、パラメータの値を変更する変更指示を受け付ける指示受付手段（13,14,10,S20）と、前記変更指示を受け付けた入力チャンネルが、パラメータ非連動チャンネルであるかを確認する確認手段（S22,S23）と、前記確認手段においてパラメータ非連動チャンネルでないと確認された場合、前記サラウンドグループ内の入力チャンネルのうち（詳しくは、前記変更指示を受け付けた入力チャンネルが属するサラウンドグループ内の入力チャンネルのうち）、パラメータ非連動チャンネルではない入力チャンネル（詳しくは、パラメータ非連動チャンネルではないすべての入力チャンネル、あるいは、パラメータ連動チャンネルであるすべての入力チャンネル）のパラメータの値を、前記変更指示に基づいて制御し、前記確認手段においてパラメータ非連動チャンネルであると確認された場合、前記変更指示を受け付けた入力チャンネルのみのパラメータの値を、前記変更指示に基づいて制御するパラメータ制御手段（S24-28）とを備えるオーディオミキサである。
【００１０】
チャンネルグループ設定手段により、１組で扱うべき複数の入力元からの信号（例えば、５．１ｃｈサラウンド用信号）を割り当てた複数の入力ｃｈをサラウンドチャンネルグループに設定し、接続手段によりサラウンドチャンネルグループに属する各入力チャンネルと、サラウンドバスグループに属する各バスを１対１で排他的に接続する。これにより、１組で扱うべき複数ｃｈのオーディオ信号（例えば５．１ｃｈ構成のサラウンド信号）を、サラウンドバスグループに対応する複数の出力チャンネルから所定の関連性を持つ複数ｃｈのオーディオ信号のまとまりとして出力すること（例えばサラウンド再生する）ことができる。
また、サラウンドチャンネルグループに属する各入力チャンネルには、パラメータ連動チャンネル及びパラメータ非連動チャンネルのいずれかのチャンネルタイプが設定される。或る入力チャンネルにおいてパラメータの変更が指示されたとき、その入力チャンネルに設定されたチャンネルタイプ（パラメータ連動又は非連動チャンネル）に応じて、サラウンドチャンネルグループ内でパラメータを連動制御するか、連動制御しないかを自動的に区別することができる。
【発明の効果】
【００１１】
本発明によれば、１組で扱うべき複数ｃｈのオーディオ信号（例えば５．１ｃｈ構成のサラウンド信号）を、所定の関連性を持つ複数ｃｈのオーディオ信号として出力する（例えばサラウンド再生する）ように設定することが、チャンネルグループ設定という極めて簡単な操作を行うだけで、可能となる。また、サラウンドチャンネルグループ内でパラメータを連動制御するか、連動制御しないかが自動的に区別されるので、１組で扱うべき複数ｃｈのオーディオ信号（例えば５．１ｃｈ構成のサラウンド信号）を取り扱う入力ｃｈのパラメータの調整において、入力元の相互の関連性についてオペレータが過度の注意を払うことなしに、入力元の相互の関連性を保ちながらパラメータの調整をできる。すなわち、複数個の入力元を１つのまとまりとして容易に扱えるようになるという優れた効果を奏する。
【図面の簡単な説明】
【００１２】
【図１】本発明に係るオーディオミキサの一実施形態であるミキシングシステムの構成例を示すブロック図。
【図２】図１のミキシングシステムの信号処理構成を説明するブロック図。
【図３】入力チャンネルブロックのブロックタイプにノーマルブロックが設定されたときに、各入力チャンネルに設定されるチャンネルタイプの組み合わせを説明する図。
【図４】入力チャンネルブロックのブロックタイプにステレオブロックが設定されたときに、各入力チャンネルに設定されるチャンネルタイプの組み合わせを説明する図。
【図５】入力チャンネルブロックのブロックタイプにサラウンドブロックが設定されたときに、各入力チャンネルに設定されるチャンネルタイプの組み合わせを説明する図であって、（ａ）は第１サラウンドブロックが設定された場合、（ｂ）は第２サラウンドブロックが設定された場合。
【図６】コンソールの表示部に表示されるブロックタイプ設定画面の一例を示す図。
【図７】ブロックタイプ設定処理を示すフローチャート。
【図８】ノーマルチャンネルが設定された場合の入力チャンネルと各種バスの接続態様を説明する図。
【図９】ステレオチャンネルが設定された場合のステレオチャンネルグループに属する入力チャンネルと各種バスの接続態様を説明する図。
【図１０】サラウンドチャンネルが設定された場合のサラウンドチャンネルグループに属する各入力チャンネルと各種バスの接続態様を説明する図。
【図１１】サラウンドチャンネルグループに属する１つの入力チャンネルのパラメータ変更指示があったときに行われる処理を示すフローチャート。
【図１２】第２の実施形態に係る説明図であって、コンソールの操作パネルにおける「セレクテッドチャンネル部」を示す概念図。
【図１３】（ａ）〜（ｄ）は、図１２の操作パネルにおけるセンドレベル表示領域の構成を説明する概念図であって、（ａ）は「基本タイプ」、（ｂ）は「ノーマルｃｈ」、（ｃ）は「ステレオｃｈ」、（ｄ）は「サラウンドｃｈ」。
【図１４】基本タイプにおける入力ｃｈとバスの接続態様を説明するブロック図。
【図１５】センドレベル表示領域の表示切替処理を示すフローチャート。
【図１６】ノーマルチャンネルが設定された場合の入力チャンネルと各種バスの接続態様を説明する図。
【図１７】ステレオチャンネルが設定された場合のステレオチャンネルグループに属する入力チャンネルと各種バスの接続態様を説明する図。
【図１８】サラウンドチャンネルが設定された場合のサラウンドチャンネルグループに属する各入力チャンネルと各種バスの接続態様を説明する図。
【図１９】セレクテッドチャンネル部の物理ノブ操作子を用いたパラメータ調整処理を示すフローチャート。
【図２０】（ａ），（ｂ）は、ステレオチャンネルが設定された場合のステレオチャンネルグループに属する入力チャンネルとステレオバスグループの接続態様の別の例を説明する図。
【図２１】（ａ），（ｂ）は、サラウンドチャンネルが設定された場合のサラウンドチャンネルグループに属する各入力チャンネルとステレオバスグループの接続態様の別の例を説明する図。
【発明を実施するための形態】
【００１３】
《第１の実施形態》
以下に、本発明に係るオーディオミキサを適用したミキシングシステムについて、添付図面を参照して、説明する。
【００１４】
《ミキシングシステムの概要》
図１は、本発明に係るオーディオミキサを適用したミキシングシステムのハードウェア構成を示すブロック図である。
【００１５】
図１のミキシングシステムは、オペレータの操作に基づきシステム全体を制御するミキシングコンソール１、複数チャンネルのオーディオ信号を入出力可能な入出力装置（Ｉ／Ｏ装置（波形Ｉ／Ｏ））２、及びオーディオ信号に対するミキシング処理を行うミキシングエンジン（信号処理部（ＤＳＰ））３により構成されている。少なくともコンソール１と、Ｉ／Ｏ装置２及びミキシングエンジン３の間がリモート制御用の制御データを通信可能に接続され、また、少なくともＩ／Ｏ装置２とミキシングエンジン３の間がデジタルオーディオ信号の通信可能に接続される。コンソール１、Ｉ／Ｏ装置２、及びエンジン３の全ての装置が互いに制御データ及びデジタルオーディオ信号を通信可能に接続されていてもよい。
【００１６】
コンソール１、Ｉ／Ｏ装置２及びエンジン（ＤＳＰ）３からなるミキシングシステムは、ミキシング処理等のオーディオ信号に対する信号処理を、デジタル信号処理によって実現するデジタルミキシングシステムである。コンソール１、Ｉ／Ｏ装置２及び信号処理部（ＤＳＰ）３がそれぞれ独立した装置からなるミキシングシステムの構成を採用することで、極めて大規模な（チャンネル数の多い）システムを構築することができる。
【００１７】
ミキシングコンソール１は、複数のチャンネルに対応する複数本のチャンネルストリップが設けられており、チャンネルストリップ毎にオペレータによるパラメータの変更指示を受け付けることが可能な音響調整卓である。コンソール１は、ＣＰＵ１０、フラッシュメモリ１１及びＲＡＭ１２からなる制御部と、操作子１３と、音量レベル調整用操作子（電動フェーダ）１４と、表示部１５と、その他インターフェース（その他Ｉ／Ｏ）１６とを含み、各部がデータ及び通信バス１７を介して接続される。
【００１８】
ＣＰＵ１０は、フラッシュメモリ１１又はＲＡＭ１２に記憶された制御プログラムを実行して、コンソール１の全体動作を制御する。また、フラッシュメモリ１１には、当該ミキシングシステムの現在の構成及び動作状態を記憶したカレントメモリが設けられている。該カレントメモリの記憶内容に基づき、コンソール１からミキシングシステム内の他の装置（エンジン３及びＩ／Ｏ装置２）を制御することができる。
【００１９】
操作子１３及び音量レベル調整用操作子１４は、コンソール１の操作パネルに設けられた操作子であり、複数のチャンネルストリップに設けられた各種パラメータ調整用の操作子を含む。音量レベル調整用操作子１４は、各チャンネルストリップに設けられた操作子の１つで、そのチャンネルの信号の音量レベルを調整する操作子である。この実施例では、音量レベル調整用操作子１４は、ＣＰＵ１０から与えられる駆動信号に基づきツマミ部の操作位置が電動制御される、いわゆる「電動フェーダ」により構成される。操作子１３及び音量レベル調整用操作子１４の操作に応じた検出信号はバス１７を介してＣＰＵ１０に供給される。ＣＰＵ１０は、該供給された検出信号に基づく各種データを発生する。
【００２０】
表示部１５は、例えば液晶ディスプレイ等の表示器であって、ＣＰＵ１０からバス１７を介して与えられた表示制御信号に基づき各種情報を表示する。オペレータは、ミキシングシステムの各種機能の設定等を、表示部１５に表示された画面から行うことができる。また、コンソール１は、その他Ｉ／Ｏ１６を介して、例えばパーソナルコンピュータ等の周辺機器を接続することができる。なお、コンソール１にも、オーディオＩ／ＯやＤＳＰが具備されるが、それらの図示及び説明は省略した。
【００２１】
Ｉ／Ｏ装置２は、アナログオーディオ信号入力端子、アナログオーディオ出力端子及びデジタルオーディオ端子をそれぞれ複数有し、各入力端子から入力されたアナログオーディオ信号をデジタル信号に変換して、エンジン３に供給するアナログ入力部の機能と、エンジン３から供給された複数チャンネルのデジタルオーディオ信号をアナログオーディオ信号に変換して各出力端子へ出力するアナログ出力部の機能と、デジタルオーディオ端子を介してデジタルオーディオ信号を入出力するデジタル入出力部の機能を有する。Ｉ／Ｏ装置２が有する複数の入力端子及びデジタルオーディオ端子のそれぞれに接続された入力元からのオーディオ信号は、該Ｉ／Ｏ装置２を介してエンジン３に供給される。また、エンジン３から出力された複数のオーディオ信号は、Ｉ／Ｏ装置２を介して、該Ｉ／Ｏ装置２が有する複数の出力端子及びデジタルオーディオ端子のそれぞれに接続された出力先に供給される。
【００２２】
前記入力元は、オーディオ信号をミキシングシステムに供給する何らかの機器であって、例えばマイクやオーディオ信号の再生機器等である。入力元には、１ｃｈのオーディオ信号を供給するための１個の独立した入力元、２ｃｈで構成されたステレオ信号を供給するための２個で１組となる入力元、或いは、所定の複数ｃｈで構成されたサラウンド信号（例えば、６ｃｈのオーディオ信号からなる５．１ｃｈサラウンド）を供給するための該所定の複数個で１組となる入力元がある。
また、前記出力先は、本ミキシングシステムから出力されたオーディオ信号を供給する何らかの機器であって、アンプやスピーカからなるサウンドシステムや、オーディオレコーダー等である。ステレオ信号をステレオ出力する場合、或いはサラウンド信号をサラウンド出力する場合には、１組となるオーディオ信号のチャンネル数に応じた複数個の出力先へオーディオ信号を供給する。
【００２３】
ミキシングエンジン（ＤＳＰ）３は、コンソール１から与えられた制御データに基づき、マイクロプログラムを実行して、Ｉ／Ｏ装置２から供給された複数のデタジルオーディオ信号に対して、ミキシング処理、エフェクト付与処理等の信号処理を行い、該信号処理したデジタルオーディオ信号をＩ／Ｏ装置２へ出力する。ＤＳＰ３が実行する信号処理の構成の詳細は、図２を参照して後述する。
【００２４】
なお、Ｉ／Ｏ装置２及びエンジン３はそれぞれＣＰＵ及びメモリを含む制御部や簡単なユーザインタフェース等の構成要素を有するが、それら構成要素の図示は省略した。
【００２５】
《ミキシング処理の構成》
図２は、ミキシングシステムにおけるミキシング処理の構成を説明するブロック図である。図２において、各部の動作は、ミキシングエンジン（ＤＳＰ）３が実行するマイクロプログラムの処理により実現される。
【００２６】
入力パッチ部２０は、Ｉ／Ｏ装置２が有する複数の物理的入力端子を、後段に設けられた入力チャンネル２１に接続する設定（入力元と入力ｃｈのパッチ設定）を行う。これにより、Ｉ／Ｏ装置２の１つの入力端子から入力されたオーディオ信号（１つの入力元からの１つのオーディオ信号）が、入力チャンネル２１の１ｃｈに対して割り当てられる。なお、１つの入力元のオーディオ信号を複数の入力チャンネルに割り当てることは可能だが、複数の入力元のオーディオ信号を１つの入力チャンネルに割り当てることはできない。
【００２７】
なお、本明細書に用いる用語「パッチ」とは、オーディオ信号の入力元を、オーディオ信号の供給先に割り当てることをいう。「パッチ」を設定することにより、入力元とそのオーディオ信号の供給先が接続される。
【００２８】
入力チャンネル２１は、ＤＳＰ３の信号処理により実現される論理的な信号処理チャンネルであって、所定の複数本（本実施例では１２８ｃｈ）設けられている。１２８本の入力ｃｈ２１は、それぞれ固有のチャンネル番号（「１ｃｈ」〜「１２８ｃｈ」）を有する。各入力ｃｈ２１には、入力パッチ部２０により割り当てられた１つの入力元（入力端子）から入力されたオーディオ信号が入力される。各入力ｃｈ２１では、コンソール１において各チャンネル毎に設定された各種パラメータの値に基づき、該入力されたオーディオ信号に対する信号処理が行われる。
【００２９】
入力ｃｈ２１には、ヘッドアンプゲイン、アッテネータ、ディレイ、フェーズ切り替え、ＥＱ（イコライザ）、コンプレッサ、音量レベル、チャンネルオン・オフ、及びパン等のパラメータが含まれる。これらパラメータのうち、ヘッドアンプゲイン、アッテネータ、ディレイ、フェーズ切り替えは、各入力ｃｈに入力されるオーディオ信号の音特性の調整等を目的としたパラメータといえる。これに対して、ＥＱ（イコライザ）、コンプレッサ、音量レベル、チャンネルオン・オフ、及びパンは、各入力ｃｈから出力するオーディオ信号の音特性の調整等を目的としたパラメータといえる。なお、入力ｃｈが、前記の目的で各種パラメータを有すること自体は、従来の技術と同様である。また、先に挙げた入力ｃｈ２１に具備されたパラメータの具体例は一例に過ぎず、これに限定されない。
【００３０】
本実施例において、複数の入力ｃｈ２１のそれぞれに対して、その入力ｃｈ２１に割り当てられた入力元に応じた「チャンネルタイプ」が設定される。チャンネルタイプには、１つの入力元のオーディオ信号を、１つの入力ｃｈを使って、単独の信号として取り扱う「ノーマルチャンネル」と、２つ１組の入力元のステレオ信号を、２つの入力ｃｈを使って、２つをひとまとまりの信号として相互に関連付けて取り扱う「ステレオチャンネル」と、６つ１組の入力元の５．１チャンネルのサラウンド信号を、６つの入力ｃｈを使って、６つをひとまとまりの信号として相互に関連付けて取り扱う「サラウンドｃｈ」とがある。
【００３１】
入力ｃｈ２１の後段には、所定の複数（本実施例では１２８本）のバス２２が設けられている。１２８本のバス２２は、それぞれ固有のバス番号（「バス１」〜「バス１２８」）を有する。各バス２２は、それぞれ、入力されたオーディオ信号を混合して、該混合した信号を、それぞれ対応する出力チャンネル２３へ出力する。
【００３２】
１２８本のバス２２のそれぞれには、前記３通りのチャンネルタイプに対応する３種類のバスタイプのいずれかが固定的に設定されている。１２８本のバス２２のうち９６本には、バスタイプとして、各バスを１つずつ独立したバスとして使用する「ノーマルバス」が設定される。バス２２のうち２０本には、バスタイプとして、２本のバスを１つのステレオバスグループとして扱う「ステレオバス」が設定される。すなわち、ステレオバスグループは、２本の「ステレオバス」により構成されるもので、ミキシングシステム全体で１０組用意される。バス２２のうち１２本には、バスタイプとして、６本のバスを１つのサラウンドバスグループとして扱う「サラウンドバス」が設定される。すなわち、サラウンドバスグループは、６本のサラウンドバスにより構成されるもので、ミキシングシステム全体で２組用意される。なお、本実施例に示す各バスタイプに配分するバスの本数は一例であって、これに限定されない。また、実施例では説明をわかりやすくするために、各バスのバスタイプが固定的に設定されるものとしたが、これに限らず、ユーザが各バスのバスタイプを任意に設定できてもよい。
【００３３】
出力チャンネル２３は、ＤＳＰ３の信号処理により実現される論理的な信号処理チャンネルであって、前記１２８本のバス２２のそれぞれに対応して、１２８本設けられている。各出力チャンネル２３は、それぞれ固有のチャンネル番号（「１ｃｈ」〜「１２８ｃｈ」）を有する。各出力チャンネル２３は、それぞれ、コンソール１において各チャンネル毎に設定された各種パラメータの値に基づき、対応するバス２２から出力されたオーディオ信号に対する信号処理を行う。
【００３４】
出力パッチ部２４は、出力ｃｈ２３を、Ｉ／Ｏ装置２が有する複数の物理的出力端子に接続する設定を行う（出力ｃｈと出力端子のパッチ設定を行う）。これにより、Ｉ／Ｏ装置２の１つの出力端子に対して、出力ｃｈ２３の１ｃｈから出力されたオーディオ信号が割り当てられる。言い換えれば、１つの出力ｃｈ２３から出力されたオーディオ信号は、１つの出力端子を介して１つの出力先の機器（例えばスピーカ）へ供給される。なお、出力ｃｈ２３の１ｃｈを、複数の出力端子に割り当てることは可能であるが、複数の出力ｃｈ２３のオーディオ信号を１つの出力端子に割り当てることはできない。
【００３５】
《チャンネルタイプの設定》
オペレータは、１２８本の全ての論理的入力ｃｈに対して、「ノーマルチャンネル」、「ステレオチャンネル」又は「サラウンドチャンネル」のいずれかの「チャンネルタイプ」を設定することができる。本実施例では、各入力ｃｈに対するチャンネルタイプの設定は、所定数の入力ｃｈを１グループとする入力ｃｈブロック単位でまとめて行う。すなわち、ユーザが、入力ｃｈブロックごとにブロックタイプを設定すると、ＣＰＵ１０の処理により、該設定されたブロックタイプに基づいて、入力ｃｈブロック内の各チャンネルに対するチャンネルタイプが自動的に設定される。
【００３６】
ブロックタイプは、チャンネルタイプの組み合わせを規定するパラメータである。チャンネルタイプの組み合わせとは、１個の入力ｃｈブロックに含まれる複数の入力ｃｈの、それぞれに割り当てるチャンネルタイプを規定するもの（１個の入力ｃｈブロックに含まれる複数の入力ｃｈのグループ構成を規定するもの）である。
【００３７】
本実施例では、１つの入力ｃｈブロックは８つの入力ｃｈで構成されるものとする。本実施例では、１２８本の入力ｃｈを具備するミキシングシステムを想定しているので、１２８本の入力ｃｈを１６個の入力ｃｈブロックに分けることができる。入力ｃｈのチャンネル番号の先頭から順に８つの入力チャンネルずつを１組の入力ｃｈブロックとして扱う。例えば、１番〜８番が１つの入力ｃｈブロックであり、９番〜１６番が別の１つの入力ｃｈブロックである。この構成では、オペレータは、１６個の入力ｃｈブロックに対してブロックタイプを設定するだけでよいので、１２８本の入力ｃｈの１つずつに個別に設定を行うよりも格段に負担が少ない。
【００３８】
１つの入力ｃｈブロックを構成する入力ｃｈの数は、少なくとも「サラウンドチャンネル」のチャンネル数と同数以上に設定される。通常、「サラウンドチャンネル」の個数と「サラウンドバスグループ」の本数は同数に設定されるので、「１つの入力ｃｈブロックを構成する入力ｃｈの数は、少なくとも「サラウンドバスグループ」を構成するバスの本数以上とする」とも定義できる。また、１つの入力ｃｈブロックを構成する入力ｃｈの数は、コンソール１の操作パネルに設けられたチャンネルストリップ（物理的操作子）の本数に対応する数に設定されることが望ましい。一般に、デジタルオーディオミキサのコンソールの操作パネルには、ＤＳＰが具備する全ての論理的チャンネル数よりも少ない所定数の物理的チャンネルストリップが設けられており、該所定数の物理的チャンネルストリップに対して、複数の論理的チャンネルを予め決められた組み合わせで呼び出すようになっている。したがって、１つの入力ｃｈブロックを構成する入力ｃｈの数を、チャンネルストリップの本数に対応する数に設定すれば、１つの入力ｃｈブロックを構成する入力ｃｈをまとめて操作パネルの所定数のチャンネルストリップに呼び出すことが可能となり、オペレータにとってチャンネルストリップと入力ｃｈブロックの関係を理解しやすい。更に、本実施例のように、１つの入力ｃｈブロックを構成する入力ｃｈの数を８本とすることは、８チャンネルからなる７．１チャンネルのサラウンドチャンネルの構成にも対応できるので好ましい。
【００３９】
図３〜図５は、入力ｃｈブロックにブロックタイプが設定されたときに、該ブロックに属する各入力チャンネルに設定されるチャンネルタイプの組み合わせを説明する図である。
【００４０】
《ノーマルブロック》
図３は、ブロックタイプとしてノーマルブロックが設定されたときに、入力ｃｈブロック内の各入力チャンネルに設定されるチャンネルタイプの組み合わせを説明する図である。図３において縦線は１つの入力ｃｈを示す（この点は後述する図４及び図５においても同様である）。入力ｃｈブロックのブロックタイプにノーマルブロックが設定された場合、当該入力ｃｈブロックを構成する各入力ｃｈ（例えば、チャンネル番号１ｃｈ〜８ｃｈ）には、それぞれチャンネルタイプとして「ノーマルチャンネル」が設定される。「ノーマルチャンネル」が設定された各入力ｃｈは、それぞれ独立して制御される（相互にパラメータ非連動で制御される）。すなわち、オペレータがコンソール１において１つのチャンネルストリップのパラメータを変更すると、ＤＳＰ３において、該変更指示に応じて、そのチャンネルストリップに割り当てられた１つの入力ｃｈのパラメータのみが制御される。
【００４１】
《ステレオブロック》
図４は、ブロックタイプとしてステレオチャンネルが設定されたされたときに、入力ｃｈブロック内の各入力チャンネルに設定されるチャンネルタイプの組み合わせを説明する図である。入力ｃｈブロックのブロックタイプとしてステレオブロックが設定された場合、当該入力ｃｈブロックを構成する８本の入力ｃｈのそれぞれには、チャンネルタイプとして「ステレオチャンネル」が設定される。ステレオチャンネルに設定された入力ｃｈブロック内の各入力ｃｈは、必ず、１組のステレオバスグループを構成するバスの本数（本実施例では２本）に対応する数（本実施例では２個）の入力ｃｈを１組とするステレオチャンネルグループを形成する。本実施例では、入力ｃｈブロックを構成する８本の入力ｃｈは、チャンネル番号の順に先頭から２個ずつを１組のペアとする４個のステレオチャンネルグループを形成する。例えば、チャンネル番号１ｃｈ〜８ｃｈの入力ｃｈブロックであれば、１ｃｈと２ｃｈ、３ｃｈと４ｃｈ、５ｃｈと６ｃｈ、及び７ｃｈと８ｃｈがそれぞれステレオチャンネルグループになる。
【００４２】
さらに、１つのステレオチャンネルグループに設定された２つの入力ｃｈのいずれか一方（例えば奇数番号の入力ｃｈ）は、２チャンネルステレオ信号を供給する２個の入力元のうちのＬチャンネルを取り扱うチャンネルとして設定され、他方（偶数番号の入力ｃｈ）は前記２個の入力元のＲチャンネルを取り扱うチャンネルとして設定される。図において、各入力ｃｈを示す線に付記された「Ｌ」又は「Ｒ」は、前述したように設定された各入力ｃｈで取り扱うステレオ信号の入力元の区別、つまり、Ｌチャンネル／Ｒチャンネルの区別を示す。
【００４３】
１つのステレオｃｈグループを構成する２つの入力ｃｈ（チャンネルタイプとして「ステレオチャンネル」が設定された入力ｃｈ）は、双方ともにパラメータ連動チャンネルとなり、当該２つの入力ｃｈのパラメータの一部が相互に関連付けて制御される。すなわち、オペレータがコンソール１において、ステレオｃｈグループに設定された入力ｃｈが割り当てられた１つのチャンネルストリップのパラメータを変更すると、該変更指示に応じて、そのチャンネルストリップに割り当てられた入力ｃｈのパラメータの一部と、該入力ｃｈとステレオｃｈグループに組まれた入力ｃｈのパラメータの一部が、連動して制御される。これにより、ステレオ化された２つの入力元から供給された各オーディオ信号に予め与えられていたステレオ関係を保持したまま、各信号が割り当てられた２つの入力ｃｈのパラメータを制御できる。なお、各ステレオｃｈグループは、グループ毎に独立して制御される。
【００４４】
前述の通り、入力ｃｈには、ヘッドアンプゲイン、アッテネータ、ディレイ、フェーズ切り替え、ＥＱ、コンプレッサ、音量レベル、チャンネルオン・オフ、及びパン等のパラメータが含まれる。このうちで前記連動して制御される一部のパラメータは、ＥＱ（イコライザ）、コンプレッサ、音量レベル、及びチャンネルオン・オフである。また、ステレオｃｈグループの２つの入力ｃｈの音量レベルの左右バランスを設定するバランスパラメータも、連動して制御されるパラメータの１つである。これら複数の入力ｃｈで連動して制御されるパラメータとは、その入力ｃｈからバスに出力する信号の音特性を調整することを目的としたパラメータである。一方、ヘッドアンプゲイン（及びヘッドアンプに関するその他のパラメータ）、アッテネータ、ディレイ、フェーズ切り替えは、連動しない。これら複数の入力ｃｈで連動して制御しないパラメータとは、入力元から入力ｃｈに対して入力される信号の音特性を調整することを目的としたパラメータである。
【００４５】
《サラウンドブロック》
図５（ａ），（ｂ）は、ブロックタイプとしてサラウンドブロックが設定されたされたときに、入力ｃｈブロック内の各入力チャンネルに設定されるチャンネルタイプの組み合わせを説明する図である。本実施例においては、サラウンドブロックとして、（ａ）に示す第１のサラウンドブロック、あるいは、（ｂ）に示す第２のサラウンドブロックのいずれかを、オペレータは選択できる。
【００４６】
（ａ）に示す第１のサラウンドブロックが選ばれた場合、当該入力ｃｈブロックを構成する８本の入力ｃｈのうち、チャンネル番号の順に先頭から６個の入力ｃｈがサラウンドチャンネルに設定され、該６個の入力ｃｈで１組のサラウンドチャンネルグループを形成する。そして、残りの２個の入力ｃｈはそれぞれノーマルチャンネルに設定される。
【００４７】
（ｂ）に示す第２のサラウンドブロックが選ばれた場合、当該入力ｃｈブロックを構成する８本の入力ｃｈのうち、チャンネル番号の順に先頭から６個の入力ｃｈがサラウンドチャンネルに設定され、該６個の入力ｃｈで１組のサラウンドチャンネルグループを形成する。そして、残りの２個の入力ｃｈがステレオチャンネルに設定され、該２個の入力ｃｈで１組のステレオチャンネルグループとなる。
【００４８】
サラウンドチャンネルに設定された入力ｃｈは、後述のブロックタイプ設定処理において、必ず、１組のサラウンドバスグループを構成するバスの本数（本実施例では６本）に対応する数の入力ｃｈ（本実施例では６個）をひとまとまりとする１つの「サラウンドチャンネルグループ（サラウンドｃｈグループ）」を形成する。（ａ）に示す第１のサラウンドブロック及び（ｂ）に示す第２のサラウンドブロックの違いは、１つの入力ｃｈブロック内のサラウンドｃｈグループ以外の２つの入力ｃｈを、ノーマルｃｈに設定するか、又は、ステレオｃｈに設定するかの違いである。
【００４９】
さらに、１つのサラウンドｃｈグループに設定された６本の入力ｃｈのそれぞれに、各入力ｃｈで取り扱うサラウンド信号として、５．１ｃｈサランドシステムを構成する左前方用（Ｌ）、右前方用（Ｒ）、正面用（Ｃ）、左後方用（Ｌｓ）、右後方用（Ｒｓ）、及び低音出力サブウーファー用(ＬＦＥ（Low Frequency Effects）)の６個の入力元の信号が設定される。本実施例では、当該サラウンドｃｈグループに属する６本の入力ｃｈのうちチャンネル番号の若いものから順に、Ｌチャンネル、Ｒチャンネル、Ｃチャンネル、Ｌｓチャンネル、Ｒｓチャンネル、及びＬＦＥチャンネルが設定される。図において、各入力ｃｈを示す線に付記された「Ｌ」、「Ｒ」、「Ｃ」、「Ｌｓ」、「Ｒｓ」、及び「ＬＦＥ」は、前記各入力ｃｈで取り扱うサラウンド信号の入力元の区別、つまり、Ｌチャンネル／Ｒチャンネル／Ｃチャンネル／Ｌｓチャンネル／Ｒｓチャンネル／ＬＦＥチャンネルの区別を示す。
【００５０】
１つのサラウンドｃｈグループに設定された６本の入力ｃｈのうち、「Ｌ」、「Ｒ」、「Ｃ」、「Ｌｓ」及び「Ｒｓ」の各信号を取り扱う入力ｃｈは、オペレータの変更指示に応じてお互いのパラメータの一部を連動して変更する「パラメータ連動チャンネル」となる。１つのサラウンドｃｈグループに設定された６本の入力ｃｈのうち、「ＬＦＥ」の信号を取り扱う入力ｃｈは、同じグループの他の入力ｃｈとパラメータを連動させない「パラメータ非連動チャンネル」となる。
【００５１】
なお、「Ｌ」、「Ｒ」、「Ｃ」、「Ｌｓ」及び「Ｒｓ」の各パラメータ連動チャンネルにおいて、連動して制御されるパラメータの種類は、前記ステレオｃｈの場合と同様に、その入力ｃｈからバスに出力する信号の音特性を調整することを目的としたパラメータ、すなわちＥＱ（イコライザ）、コンプレッサ、音量レベル、及びチャンネルオン・オフ等である。また、各パラメータ連動チャンネルにおいて、連動して制御されないパラメータもステレオｃｈの場合と同様で、入力元から入力ｃｈに対して入力される信号の音特性を調整することを目的としたパラメータ、すなわちヘッドアンプゲイン（及びヘッドアンプに関するその他のパラメータ）、アッテネータ、ディレイ、フェーズ切り替え等である。
【００５２】
チャンネルタイプとしてサラウンドｃｈが入力ｃｈに設定された場合、サラウンドｃｈグループを構成する６つの入力ｃｈが、相互に関連付けて制御される。すなわち、詳しくは後述する通り、オペレータがパラメータの変更指示を行った入力ｃｈが前記「パラメータ連動チャンネル」の場合には、その入力ｃｈが属するサラウンドｃｈグループ内の全てのパラメータ連動チャンネル（「Ｌ」、「Ｒ」、「Ｃ」、「Ｌｓ」及び「Ｒｓ」）の前記パラメータの値が、オペレータによる変更指示に基づいて制御され、一方、変更指示を行った入力ｃｈがパラメータ非連動チャンネル（「ＬＦＥ」）の場合には、当該入力ｃｈ「ＬＦＥ」のパラメータの値のみが、オペレータによる変更指示に基づいて制御される。
【００５３】
なお、図５（ａ）において、サラウンドｃｈグループに属さない各ノーマルチャンネル（右側の２つの入力ｃｈ）は、上述図３の説明と同様にそれぞれ独立して制御される。勿論、サラウンドｃｈグループと各ノーマルチャンネルは、それぞれ独立して制御される。また、図５（ｂ）において、サラウンドｃｈグループに属さないステレオｃｈ（図において右側の２つの入力ｃｈ）は、上述図４の説明と同様に１つのスレテオｃｈグループとして、これら２つの入力ｃｈでパラメータが連動して制御される。また、サラウンドｃｈグループとステレオｃｈは、それぞれ独立して制御される。
【００５４】
《ブロックタイプ設定画面》
オペレータは、図３〜５を参照して説明したブロックタイプの設定を、コンソール１の表示部１５に表示された画面から行うことができる。図６は、コンソール１の表示部１５に表示される入力ｃｈのブロックタイプ設定画面の一例である。オペレータが、入力ｃｈに関する各種設定機能のうちの１つであるブロックタイプ設定モードを起動すると、表示部１５には図６の画面が表示される。
【００５５】
図６において、画面下部には、チャンネルブロック選択部３０が設けられている。チャンネルブロック選択部３０には複数のブロック選択ボタン３１が設けられている。ブロック選択ボタン３１は、１２８本の入力ｃｈを８チャンネル単位で区分した１６個の入力ｃｈブロックにそれぞれ対応して用意されている。ブロック選択部３０では、１度に５つだけブロック選択ボタン３１を表示し、スクロール表示によって画面上に現れるブロック選択ボタン３１を変更できる。オペレータは、ブロック選択ボタン３１を操作することで、画面に表示する入力ｃｈブロックを選択できる。選択されたブロック選択ボタン３１の表示態様が変更され、その選択状態が明示される。図では、選択されたボタン３１が網掛け表示の表示態様で明示されている。
【００５６】
画面上部に設けられたブロックタイプ選択部３２には、「ノーマルブロック」、「ステレオブロック」、「第１のサラウンドブロック」及び「第２のサラウンドブロック」のそれぞれに対応する４つのブロックタイプ選択ボタン３３が設けられている。オペレータは、ブロックタイプ選択ボタン３３を操作することにより、前記ブロック選択ボタン３１により現在選択されている１つの入力ｃｈブロックに対して設定する１つのブロックタイプを、選択できる。選択されたブロックタイプ選択ボタン３３は、その表示態様が、非選択状態とは異なる態様（図では、網掛け表示）に変更される。これにより、表示態様の違いによって選択中のブロックタイプ選択ボタン３３を明示することができる。
【００５７】
チャンネル表示部３４には、前記ブロック選択ボタン３１により現在選択されている入力ｃｈブロックに属する８つの入力ｃｈのそれぞれに対応するチャンネルボタン３５が表示される。チャンネルボタン３５には、チャンネル番号と入力元の種類を表示する。入力元の種類とは、チャンネルタイプとしてスレテオチャンネルが設定されている入力ｃｈについてはＬ／Ｒの区別、チャンネルタイプとしてサラウンドチャンネルが設定されている入力ｃｈについてはＬ／Ｒ／Ｃ／Ｌｓ／Ｒｓ／ＬＦＥの区別のことである。なお、チャンネルタイプとしてノーマルチャンネルが設定されている入力ｃｈについては入力元の種類の表示無しとする。また、図に示していないが、チャンネルに割り当てられている入力元の名称等（信号の名称であって、例えば楽器の名称等）、その他情報をチャンネルボタン３５に表示してもよい。
【００５８】
ブロック選択ボタン３１により「第１のサラウンドブロック」が選択された場合、チャンネル表示部３４においてサラウンドｃｈグループに設定された６本の入力ｃｈに対応するボタン３５の上部に、６つのボタンを結びつける線と、文字列「ＳＵＲＲＯＵＮＤ５．１」とを表示して、これら６本の入力ｃｈが１つのサラウンドチャンネルグループを構成していることを明示する。残りの２つはノーマルチャンネルとなるので格別の表示は不要である。図６は「第１のサラウンドブロック」が選択された状態を示している。
ブロック選択ボタン３１により「第２のサラウンドブロック」が選択された場合、チャンネル表示部３４においてサラウンドｃｈグループに設定された６本の入力ｃｈに対応するボタン３５の上部に、図６に示すものと同様な表示によりサラウンドｃｈグループを明示する。また、残りの２つの入力ｃｈはステレオｃｈグループとなるので、それらのボタン３５の上部に、２つのボタンを結びつける線と、文字列「ＳＴＥＲＥＯ」と表示して、これら２個の入力ｃｈが１つのステレオチャンネルグループを構成していることを明示する（図示略）。
また、ブロック選択ボタン３１により「ステレオブロック」が選択された場合、ステレオｃｈグループに設定された各入力ｃｈのペアに対応する２つのボタン３５の上部に、それぞれ、該２つのボタンを結びつける線と、文字列「ＳＴＥＲＥＯ」と表示して、ステレオｃｈグループを明示する（図示略）。この場合、４つのステレオｃｈグループについてステレオｃｈグループを明示する表示が行われることになる。
【００５９】
《ブロックタイプの設定》
図７は、ブロックタイプを設定するために、コンソール１のＣＰＵ１０が実行する処理を示すフローチャートである。この処理は、オペレータがブロックタイプ設定モードを起動して、表示部１５には図６の画面が表示されたときに起動する処理である。以下に述べる処理は、１つの入力ｃｈブロックを処理対象としている。したがって、オペレータは、本ミキシングシステム（ＤＳＰ３）に設けられた全ての入力ｃｈブロックについて１つずつブロックタイプを設定するために、該全ての入力ｃｈブロックそれぞれに対して図７の処理を行う。
【００６０】
ステップＳ１において、コンソール１のＣＰＵ１０は、ブロック選択ボタン３１により選択された処理対象の入力ｃｈブロックに対して設定するブロックタイプを受け付ける。オペレータは、図６に示す画面において、４つのブロックタイプ選択ボタン３３のいずれか１つを選択して、当該処理対象の入力ｃｈブロックに設定するブロックタイプを指定する。
【００６１】
ステップＳ２において、コンソール１のＣＰＵ１０は、前記ステップＳ１において受け付けたブロックタイプを、処理対象の入力ｃｈブロックに設定されたブロックタイプとして、フラッシュメモリ１１又はＲＡＭ１２に記録する。また、コンソール１のＣＰＵ１０は、当該設定されたブロックタイプによって規定されるチャンネルタイプの組み合わせに基づいて、処理対象の入力ｃｈブロックに属している８つの入力ｃｈのそれぞれに対してチャンネルタイプを設定し、該設定された各入力ｃｈとチャンネルタイプの関係をフラッシュメモリ１１又はＲＡＭ１２に記録する。
【００６２】
さらに、チャンネルタイプとしてステレオチャンネルが設定された各入力ｃｈについて、ＣＰＵ１０は、グループ化すべき２つの入力ｃｈをひとまとまりとするステレオチャンネルグループを設定する。そして、ＣＰＵ１０は、該設定されたステレオチャンネルグループに属する入力ｃｈのそれぞれに入力元の種類（Ｌ／Ｒの区別）を設定し、且つ、該ステレオチャンネルグループに属する各入力ｃｈをパラメータ連動チャンネルに設定する。これら設定された関係（各入力ｃｈにおける「ステレオチャンネルグループ」設定、「入力元の種類」設定、及び「パラメータ連動チャンネル」設定に関する設定内容）はフラッシュメモリ１１又はＲＡＭ１２に記録される。
【００６３】
また、チャンネルタイプとしてサラウンドチャンネルが設定された各入力ｃｈについて、ＣＰＵ１０は、グループ化すべき６つを入力ｃｈひとまとまりとするサラウンドチャンネルグループを設定する。そして、ＣＰＵ１０は、当該サラウンドチャンネルグループに属する入力ｃｈのそれぞれに入力元の種類（Ｌ／Ｒ／Ｃ／Ｌｓ／Ｒｓ／ＬＦＥの区別）し、且つ、入力元の種類として「Ｌ」、「Ｒ」、「Ｃ」、「Ｌｓ」及び「Ｒｓ」が設定されたすべての入力ｃｈをパラメータ連動チャンネルに設定し、それ以外の入力ｃｈ（入力元の種類として「ＬＦＥ」が設定された入力ｃｈ）をパラメータ非連動チャンネルに設定する。これら設定された関係（各入力ｃｈ毎の「サラウンドチャンネルグループ」設定、「入力元の種類」設定、及び「パラメータ連動チャンネル」設定に関する内容）はフラッシュメモリ１１又はＲＡＭ１２に記録される。すなわち、ブロックタイプとして「第１のサラウンドブロック」又は「第２のサラウンドブロック」が選択されたとき、ステップＳ２の処理により、処理対象の入力ｃｈブロック内の所定の６本の入力ｃｈをサラウンドチャンネルグループに設定し、当該サラウンドチャンネルグループに属する入力ｃｈの少なくとも１つを、パラメータ非連動チャンネルとするチャンネルグループ設定が行われる。
【００６４】
そして、コンソール１のＣＰＵ１０は、ステップＳ３以下の処理により、前記ステップＳ２で設定されたチャンネルタイプに応じて、当該入力ｃｈブロックに属する全ての入力ｃｈと各種バスの接続を設定する。また、コンソール１のＣＰＵ１０は、該設定した接続を示す制御データをエンジン（ＤＳＰ）３に送信して、エンジン（ＤＳＰ）３が有する入力ｃｈと各種バスの接続をリモート制御する。ＤＳＰ３は、該送信された制御データに基づき、各入力ｃｈと各種バス２２の接続を設定する。なお、ここでいう入力ｃｈと各種バスとの接続を設定するとは、入力ｃｈから信号出力できるバスと同信号出力できないバスを設定することである。信号出力できるように設定することを「接続する」と呼び（例えば、当該入力ｃｈから当該バスへ信号を送るための線をＤＳＰの内部的に設けること）、信号出力できないように設定することを「接続しない」と呼ぶ（例えば、当該入力ｃｈから当該バスへ信号を送るための線をＤＳＰの内部的に設けないこと）。この設定は入力ｃｈからバスへの信号出力を行うか否かを設定するための、いわゆる、入力ｃｈの各種バスに対するセンドレベルのパラメータや、チャンネルオン・オフのパラメータを使った設定とは異なる。当該設定によって「接続する」と設定されたバスに対しては、センドレベルのパラメータやチャンネルオン・オフのパラメータを使って、当該入力ｃｈから当該バスへ信号出力するか、又は、同出力しないかを設定できる。逆に、「接続しない」と設定されたバスに対しては、センドレベルのパラメータやチャンネルオン・オフのパラメータの設定に関係なく、当該入力ｃｈから当該バスへ信号出力することはできないようになる。
【００６５】
《ノーマルブロックの場合》
前記ステップＳ２でノーマルブロックが設定された場合（ステップＳ３のＹＥＳ）、コンソール１のＣＰＵ１０は、当該入力チャンネルブロック内の全ての入力ｃｈ（８つの入力ｃｈ）とノーマルバスの接続及び該全ての入力ｃｈとステレオバスの接続を、図８に示すノーマルチャンネル用の態様で設定する（ステップＳ４）。また、ＣＰＵ１０は、当該入力チャンネルブロック内の全ての入力ｃｈとサラウンドバスの接続を、図８に示すノーマルチャンネル用の態様（サラウンドパン機能を介して接続する態様）で設定する（ステップＳ５）。
【００６６】
図８は、ノーマルｃｈが設定された１つの入力ｃｈ（「Ｘ」）と、各種バスの接続態様（ノーマルチャンネル用の態様）を説明するブロック図である。本実施例では、図では１本のノーマルバスのみを図示し、他を省略した。また、ステレオバスについては、図では１組のステレオバスグループ（２本のステレオバス）のみを図示し、他を省略した。また、サラウンドバスについては、図では１組のサラウンドバスグループ（６本のサラウンドバス）のみを図示し、他を省略した。
【００６７】
図８に示す通り、ノーマルバスについては、１つの入力ｃｈ「Ｘ」が１つのノーマルバスに接続される。図では、１つの入力ｃｈ「Ｘ」が１つのノーマルバスに接続される様子のみを描いているが、１つの入力ｃｈ「Ｘ」は、９６本の全てのノーマルバスに接続される。また、ステレオバスについては、１つの入力ｃｈ「Ｘ」が、ステレオパン設定部４０（「Ｐａｎ」）を介して、１組のステレオバスグループを構成する２本のステレオバス（Ｌ及びＲ）に接続される。具体的には、ステレオパン設定部４０は、Ｌｃｈ及びＲｃｈに対応する２本の出力ラインを有しており、ステレオパン設定部４０の各出力ラインがそれぞれ対応するステレオバスに接続される。１つの入力ｃｈ「Ｘ」の信号は、ステレオパン設定部４０を介して該２本の出力ラインに分配され、該２本の出力ラインを介してステレオバス（Ｌ及びＲ）に供給される。ステレオパン設定部４０のパラメータ（パン）の値に応じて、入力ｃｈから２本のステレオバスに送られる信号のパンが調節される。
【００６８】
サラウンドバスについては、１つの入力ｃｈ「Ｘ」をサラウンドパン設定部４１（「Ｓｕｒｒｏｕｎｄ  Ｐａｎ」）を介して、１組のサラウンドバスグループを構成する６本のサラウンドバス（Ｌ，Ｒ，Ｃ，Ｌｓ，Ｒｓ及びＬＦＥ）のそれぞれに接続する。具体的には、サラウンドパン設定部４１はＬ，Ｒ，Ｃ，Ｌｓ，Ｒｓ及びＬＦＥに対応する６本の出力ラインを有しており、サラウンドパン設定部４１の各出力ラインが、それぞれ対応する１つのサラウンドバス（Ｌ，Ｒ，Ｃ，Ｌｓ，Ｒｓ及びＬＦＥ）に接続される。１つの入力ｃｈ「Ｘ」の信号は、サラウンドパン設定部４１を介して該６本の出力ラインに分配され、該６本の出力ラインを介して６本のサラウンドバス（Ｌ，Ｒ，Ｃ，Ｌｓ，Ｒｓ及びＬＦＥ）に供給される。サラウンドパン設定部４１のパラメータ（サラウンドパン）の値に応じて、入力ｃｈから６本のサラウンドバスに送られる信号のパンが調節される。
【００６９】
《ステレオブロックの場合》
前記ステップＳ２でステレオブロックが設定された場合（ステップＳ３のＮＯ、ステップＳ６のＹＥＳ）、ステップＳ７において、コンソール１のＣＰＵ１０は、当該入力ｃｈブロック内の全ての入力ｃｈ（８つの入力ｃｈ）とノーマルバスの接続及び該全ての入力ｃｈとステレオバスの接続を、図９に示すステレオｃｈグループ用の態様で設定する。また、ステップＳ８において、ＣＰＵ１０は、当該入力チャンネルブロック内の全ての入力ｃｈとサラウンドバスの接続を、図９に示すステレオｃｈグループ用の態様（サラウンドパン機能を介して接続する態様）で設定する。
【００７０】
図９は、入力ｃｈにステレオｃｈが設定された場合の、１つのステレオｃｈグループに属する２つの入力ｃｈ（Ｌ及びＲ）と各種バスの接続態様（ステレオｃｈグループ用の態様）を説明する図である。バスの構成は図８と同様である。
【００７１】
図９に示す通り、ノーマルバスについては、ステレオｃｈグループに組まれた２つの入力ｃｈ「Ｌ」及び「Ｒ」の両方が共に同じノーマルバスに接続される。したがって、ノーマルバスで該２つの入力ｃｈ「Ｌ」及び「Ｒ」の信号が混合される。また、ステレオバスグループについては、ステレオｃｈグループに組まれた２つの入力ｃｈ「Ｌ」及び「Ｒ」が、ステレオバスグループを構成する２つのステレオバス「Ｌ」及び「Ｒ」のうちの、それぞれ対応する１つのバスに排他的に接続される。すなわち、入力元の種類として「Ｌ」が設定されている入力ｃｈは、バス「Ｌ」に接続され、バス「Ｒ」には接続しない（スレテオバス「Ｌ」にのみ接続する）。また、入力元の種類として「Ｒ」が設定されている入力ｃｈは、バス「Ｒ」に接続され、バス「Ｌ」には接続しない（スレテオバス「Ｒ」にのみ接続する）。また、サラウンドバスについては、２つの入力ｃｈ「Ｌ」及び「Ｒ」のそれぞれが、ノーマルｃｈの場合と同様な接続態様で、１組のサラウンドバスグループを構成する６本のサラウンドバスに接続される。つまり、１つの入力ｃｈが、サラウンドパン設定部４１を介して６本のサラウンドバスのそれぞれに接続される。
【００７２】
《バランスパラメータ》
なお、図９に示す通り、入力ｃｈにステレオｃｈが設定された場合、ステレオバスグループの前段には、ステレオｃｈグループ化された２つの入力ｃｈ「Ｌ」及び「Ｒ」に対して１つのバランス設定部４２が挿入される。バランス設定部４２は、ステレオｃｈグループ化された２つの入力ｃｈ「Ｌ」及び「Ｒ」の音量レベルのバランスを調節するモジュールである。バランス設定部４２のパラメータ（バランス）の値に応じて入力ｃｈ「Ｌ」及び「Ｒ」の音量レベルを調節することで、２つの信号をステレオ再生したときの音像定位（パン）を変更する。ステレオｃｈグループに組まれた２つの入力ｃｈ「Ｌ」及び「Ｒ」に入力される信号は、２つの信号の間でステレオ定位が付くよう予め調整されたステレオ信号（２つの入力元間で相互の関連性が予め決められたステレオ信号）であるため、バランス設定部４２により、２つの入力チャンネルの音量レベルのバランスを調節して、前記予め設定されたステレオ定位を調整する。なお、バランス設定部４２のパラメータの値は、２つの入力チャンネルの音量レベルのバランス（両者の相対的な割合）を示す値となる。
【００７３】
《第１のサラウンドブロックの場合》
前記ステップＳ２で第１のサラウンドブロック（サラウンドブロック１）が選択された場合（ステップＳ３のＮＯ、ステップＳ６のＮＯ、ステップＳ９のＹＥＳ）、図５（ａ）に示すように、当該入力ｃｈブロック内の入力チャンネルのうちでサラウンドｃｈグループに属していない２つの入力ｃｈはノーマルチャンネルに設定されている。したがって、ステップＳ１０において、コンソール１のＣＰＵ１０は、前記サラウンドｃｈグループに属していない２つの入力ｃｈとノーマルバスの接続及び、該２つの入力ｃｈとステレオバスの接続を、それぞれ、前記ステップＳ４と同様の処理により、ノーマルチャンネル用の態様で設定する。また、ステップＳ１１において、ＣＰＵ１０は、前記サラウンドｃｈグループに属していない２つの入力ｃｈとサラウンドバスの接続を、前記ステップＳ５と同様の処理により、ノーマルチャンネル用の態様（サラウンドパン機能を介して接続する態様）で設定する。
【００７４】
ステップＳ１２において、コンソール１のＣＰＵ１０は、当該入力ｃｈブロック内のサラウンドｃｈグループに属する６つの入力ｃｈとノーマルバスの接続及び、同６つの入力ｃｈとステレオバスグループの接続を、それぞれ、図１０に示すサラウンドｃｈグループ用の態様で設定する。また、ステップＳ１３において、コンソール１のＣＰＵ１０は、当該入力ｃｈブロック内のサラウンドｃｈグループに属する６つの入力ｃｈとサラウンドバスの接続を、図１０に示すサラウンドｃｈグループ用の態様で設定する。
【００７５】
図１０は、入力ｃｈにサラウンドｃｈが設定された場合の、１つサラウンドｃｈグループに属する６つの入力ｃｈ（「Ｌ」、「Ｒ」、「Ｃ」、「Ｌｓ」、「Ｒｓ」及び「ＬＦＥ」）と、各種バスの接続態様（サラウンドｃｈグループ用の態様）を説明するブロック図である。バスの構成は図８と同様である。
【００７６】
図１０に示す通り、ノーマルバスについては、サラウンドｃｈグループに組まれた６つの入力ｃｈ「Ｌ」、「Ｒ」、「Ｃ」、「Ｌｓ」、「Ｒｓ」及び「ＬＦＥ」のすべてが同じノーマルバスに接続される。したがって、該６つの入力ｃｈの信号はノーマルバスで混合される。また、ステレオバスについては、６つの入力ｃｈ「Ｌ」、「Ｒ」、「Ｃ」、「Ｌｓ」、「Ｒｓ」及び「ＬＦＥ」のそれぞれが、図８のノーマルｃｈの場合と同様な態様で接続される。つまり１つの入力ｃｈが、ステレオパン設定部４０を介して、ステレオバスグループを構成する２本のステレオバスに接続される。図１０では、２つの入力ｃｈ「Ｌ」及び「Ｒ」のみが、ステレオパン設定部４０を介して、ステレオバスに接続された様子を描いているが、他の入力ｃｈ「Ｃ」、「Ｌｓ」、「Ｒｓ」及び「ＬＦＥ」も同様にステレオパン設定部４０を介して、２本のステレオバスに接続される。
【００７７】
サラウンドバスについては、サラウンドｃｈグループに組まれた６つの入力ｃｈ「Ｌ」、「Ｒ」、「Ｃ」、「Ｌｓ」、「Ｒｓ」及び「ＬＦＥ」が、サラウンドバスグループを構成する６つのサラウンドバス「Ｌ」、「Ｒ」、「Ｃ」、「Ｌｓ」、「Ｒｓ」及び「ＬＦＥ」のうちの、それぞれ対応する１つのバスに排他的に接続される。すなわち、入力元の種類として「Ｌ」が設定された入力ｃｈがサラウンドバス「Ｌ」に接続され、他の５つのサラウンドバス「Ｒ」、「Ｃ」、「Ｌｓ」、「Ｒｓ」及び「ＬＦＥ」には接続されない（サラウンドバス「Ｌ」にのみ接続される）。同様に、入力元の種類として「Ｒ」が設定された入力ｃｈは、サラウンドバス「Ｒ」に接続され、他の５つのサラウンドバス「Ｌ」、「Ｃ」、「Ｌｓ」、「Ｒｓ」及び「ＬＦＥ」には接続されない（サラウンドバス「Ｒ」にのみ接続される）。入力元の種類として「Ｃ」が設定された入力ｃｈは、サラウンドバス「Ｃ」に接続され、他の５つのサラウンドバス「Ｌ」、「Ｒ」、「Ｌｓ」、「Ｒｓ」及び「ＬＦＥ」には接続されない（サラウンドバス「Ｃ」にのみ接続される）。入力元の種類として「Ｌｓ」が設定された入力ｃｈは、サラウンドバス「Ｌｓ」に接続され、他の５つのサラウンドバス「Ｌ」、「Ｒ」、「Ｃ」、「Ｒｓ」及び「ＬＦＥ」には接続されない（サラウンドバス「Ｌｓ」にのみ接続される）。入力元の種類として「Ｒｓ」が設定された入力ｃｈは、サラウンドバス「Ｒｓ」に接続され、他の５つのサラウンドバス「Ｌ」、「Ｒ」、「Ｃ」、「Ｌｓ」及び「ＬＦＥ」には接続されない（サラウンドバス「Ｒｓ」にのみ接続される）。入力元の種類として「ＬＦＥ」が設定された入力ｃｈは、サラウンドバス「ＬＦＥ」に接続され、他の５つのサラウンドバス「Ｌ」、「Ｒ」、「Ｃ」、「Ｌｓ」及び「Ｒｓ」には接続されない（サラウンドバス「ＬＦＥ」にのみ接続される）。
【００７８】
第１のサラウンドブロックが設定された入力ｃｈブロックに属する各入力ｃｈのうちサラウンドｃｈグループに属する６つの入力ｃｈ「Ｌ」、「Ｒ」、「Ｃ」、「Ｌｓ」、「Ｒｓ」及び「ＬＦＥ」には、前述のとおり、各入力ｃｈで取り扱うサラウンド信号として、５．１ｃｈサラウンド構成の「Ｌ」、「Ｒ」、「Ｃ」、「Ｌｓ」、「Ｒｓ」及び「ＬＦＥ」の６個の入力元の信号が設定される。そして、サラウンドｃｈグループの各入力ｃｈはそれぞれ対応するサラウンドバスに接続されるので、各サラウンドバスに対応する６個の出力チャンネルから、５．１ｃｈサラウンド信号を取り出すことができる。
【００７９】
図１０に明らかな通り、入力ｃｈにサラウンドｃｈを設定した場合（サラウンドブロックが選択された場合）、各入力ｃｈとサラウンドバスの接続態様は、図８に示す１つの入力ｃｈに対して６本のサラウンドバス（１組みのサラウンドバスグループ）を接続する設定（従来のサラウンドモード設定）と比べて、「１つの入力チャンネルに対して１つのサラウンドバスを接続する」という点で異なる。また、図１０に示すサラウンドｃｈグループ用の接続態様によれば、６つの入力元の間で相互の関連性が予め決められた信号（５．１ｃｈサラウンド構成における定位（サラウンドパン）が予め決められた６ｃｈ１組のサラウンド信号）を、６本１組とするサラウンドバスグループの各バスに、１つずつ入力するので、入力ｃｈとサラウンドバスの間にサラウンドパン設定部４１が挿入されることもない。
【００８０】
なお、本実施例では、図１０に示す通り、入力ｃｈにサラウンドｃｈが設定された場合、入力ｃｈとサラウンドバスの間にバランス設定部４２を挿入せず、６ｃｈ１組のサラウンド信号に予め設定されたサラウンドパンの設定状態を調整しない構成とする。しかし、これに限らず、パラメータ連動チャンネルである入力ｃｈ「Ｌ」、「Ｒ」、「Ｃ」、「Ｌｓ」、及び「Ｒｓ」のラインにバランス設定部４２を挿入する構成であってもよい。この場合、バランス設定部４２のパラメータの値に応じて、入力ｃｈ「Ｌ」、「Ｒ」、「Ｃ」、「Ｌｓ」、及び「Ｒｓ」の音量レベルの相互のバランスを調整し、サラウンドのパンを付けることになる。入力ｃｈ「ＬＦＥ」が除外されているのは、「ＬＦＥ」（サブウーファー）がパラメータ非連動チャンネルだからである。「ＬＦＥ」（サブウーファー）は、その性質上、音像定位（サラウンドパン）の設定は重要ではなく、他の入力ｃｈとの間に音像定位に関する関連性がない。
【００８１】
《第２のサラウンドブロックの場合》
前記ステップＳ２で第２のサラウンドブロック（サラウンドブロック２）が選択された場合（ステップＳ３のＮＯ、ステップＳ６のＮＯ、ステップＳ９のＮＯ）、当該入力ｃｈブロック内の入力チャンネルのうちでサラウンドｃｈグループに属していない２つの入力ｃｈは、図５（ｂ）に示すように、１つのステレオチャンネルグループを構成するステレオチャンネルとなる。ステップＳ１４
において、コンソール１のＣＰＵ１０は、前記ステップＳ７と同様の処理により、サラウンドｃｈグループに属していない２つの入力ｃｈとノーマルバスの接続及び同２つの入力ｃｈとステレオバスの接続を、ステレオｃｈグループ用の態様で設定する。また、ステップＳ１５において、ＣＰＵ１０は、前記ステップＳ８と同様の処理により、サラウンドｃｈグループに属していない２つの入力ｃｈとサラウンドバスの接続を、ステレオｃｈグループ用の態様（サラウンドパン機能を介して接続する態様）で設定する。そして、ＣＰＵ１０は、前記ステップＳ１２及びＳ１３により、当該入力ｃｈブロック内のサラウンドｃｈグループに属する６つの入力ｃｈとノーマルバスの接続、同６つの入力ｃｈとステレオバスグループの接続、及び同６つの入力ｃｈとサラウンドバスの接続を、図１０に示すサラウンドチャンネルグループ用の態様で設定する。
【００８２】
以上の構成により、入力ｃｈブロック単位でブロックタイプを設定することで、該設定したブロックタイプに応じて、該入力ｃｈブロック内の各入力ｃｈとバスの接続を設定することができる。かかる構成において、ブロックタイプとしてサラウンドブロックが設定された場合には、入力ｃｈブロック中の６本の入力ｃｈは、１組のサラウンドｃｈグループを形成するサラウンドｃｈとなる。そして、１組のサラウンドｃｈグループを形成する６本のサラウンドｃｈが、それぞれ、６本のサラウンドバス（サラウンドバスグループに属するバス）に１対１で接続される。すなわち、コンソール１のＣＰＵ１０は、１組のサラウンドバスグループに属する各バスに対して、１組のサラウンドｃｈグループに属する入力チャンネルを１つずつ接続する接続手段の動作を行う。
したがって、複数の入力元を１組とする信号（例えば、６ｃｈのオーディオ信号からなる５．１ｃｈサラウンド信号）を割り当てた複数の入力ｃｈをサラウンドチャンネルグループに設定するだけで、６ｃｈで１組みのサラウンド用信号を、６本１組のサラウンドバスのそれぞれに対応する出力先から１チャンネルずつ取り出すこと（例えばサラウンド再生用の複数ｃｈのスピーカから出力すること）ができるようになる。
【００８３】
《パラメータの変更》
次に、第１又は第２のサラウンドブロックが設定された入力ｃｈブロックにおいて、オペレータが１つの入力ｃｈのパラメータの値を変更する変更指示を入力したときの動作について説明する。図１１は、１つの入力ｃｈのパラメータの値を変更する変更指示をコンソール１のＣＰＵ１０が受け付けたときにＣＰＵ１０が実行する処理を示すフローチャートである。この処理の起動機会は、コンソール１で１つのチャンネルストリップの操作子１３，１４が操作されたとき、表示部１５を含むＧＵＩ（Graphical User Interface）を用いて入力チャンネルのパラメータの値の変更が指示されたとき、或いは、その他Ｉ／Ｏ１６を介して接続されたＰＣ等の外部装置から入力ｃｈのパラメータの値を変更する変更指示を受信したときなどである。ステップＳ２０において、ＣＰＵ１０は、１つの入力ｃｈのパラメータの値を変更する変更指示を受け付ける。
【００８４】
ステップＳ２１において、コンソール１のＣＰＵ１０は、前記ステップＳ２においてメモリ（フラッシュメモリ１１又はＲＯＭ１２）に記録された入力ｃｈとチャンネルタイプとの関係に基づき、当該変更指示を受け付けた処理対象となる入力ｃｈが、サラウンドｃｈグループに属しているか否か（チャンネルタイプとしてサラウンドチャンネルが設定されているか否か）を調べる。指示対象の入力チャンネルがサラウンドｃｈグループに属している場合（ステップＳ２２のＹＥＳ）、コンソール１のＣＰＵ１０は、ステップＳ２３において、当該変更指示の対象となるパラメータの種類が連動するタイプであるかどうかを調べる。
【００８５】
入力ｃｈに備わるパラメータのうち、連動する種類のパラメータとは、前述の通り、基本的には、その入力ｃｈからバスに出力する信号の音特性（入力ｃｈからの出力特性）を調整することを目的としたパラメータであり、具体的にはＥＱ（イコライザ）、コンプレッサ、音量レベル、及びチャンネルオン・オフ等である。一方、連動しない種類のパラメータとは、前述の通り、基本的には、入力元から入力ｃｈに対して入力される信号の音特性（入力ｃｈへの入力特性）を調整することを目的としたパラメータであり、具体的にはヘッドアンプゲイン（及びヘッドアンプに関するその他のパラメータ）、アッテネータ、ディレイ、フェーズ切り替え等である。なお、連動するパラメータ種類及び非連動のパラメータ種類は、従来から知られるステレオペア機能において、ペア化された入力ｃｈで相互に連動するパラメータ種類と同様であってよい。すなわち、連動するパラメータ種類及び非連動のパラメータ種類は、上記具体例に限定されない。
【００８６】
今回変更指示されたパラメータが「連動する種類」である場合（ステップＳ２４のＹＥＳ）、コンソール１のＣＰＵ１０は、ステップＳ２５においてメモリ（フラッシュメモリ１１又はＲＯＭ１２）に記録されている入力ｃｈとパラメータ連動／非連動チャンネルとの関係に基づき、当該指示対象の入力ｃｈがパラメータ連動チャンネルとパラメータ非連動チャンネルのいずれであるかを調べる。
【００８７】
当該指示対象の入力ｃｈがパラメータ連動チャンネルの場合（ステップＳ２６のＹＥＳ）、コンソール１のＣＰＵ１０は、パラメータ制御を連動する他の入力ｃｈ、すなわち、同じサラウンドｃｈグループに属する他の４個のパラメータ連動チャンネルを抽出する（ステップＳ２７）。パラメータ連動チャンネルは、前述の通り、サラウンドｃｈグループのうちの５つの入力ｃｈ「Ｌ」、「Ｒ」、「Ｃ」、「Ｌｓ」、及び「Ｒｓ」である。ここまでの処理により、今回のパラメータ変更指示において、どの入力ｃｈの、どのパラメータの値を変更するかが特定される。
【００８８】
ステップＳ２８において、コンソール１のＣＰＵ１０は、前記ステップＳ２７で抽出したすべての入力ｃｈ（４個の入力ｃｈ）と、今回変更指示を受け付けた処理対象の入力ｃｈとに設定された処理対象のパラメータの値を、オペレータによって指示された内容に基づいてまとめて変更する（この「まとめて変更する」ことが連動に相当する）。すなわち、コンソール１のフラッシュメモリ１１又はＲＡＭ１２に設けられたカレントメモリに記憶された当該サラウンドｃｈグループ内の当該５つの入力ｃｈにおける当該パラメータの値を上書きするとともに、新たな値をＤＳＰ３に送信する。ＤＳＰ３は、該新たな値を受信し、当該サラウンドｃｈグループ内の当該５つの入力ｃｈにおける当該パラメータの値に該受信した新たな値を設定する。
【００８９】
ここで、各入力チャンネルにおけるパラメータの値の変更の仕方は、処理対象のパラメータの種類に応じて、該変更指示された値に対する絶対値で変更される場合と、該変更指示された値に対する相対値で変更される場合との２通りの場合がありうる。したがって、当該ステップＳ２８において、コンソール１のＣＰＵ１０は、まず、処理対象のパラメータの種類が、絶対値で変更されるパラメータであるか、相対値で変更されるパラメータであるかを判断する。そして、絶対値で変更されるパラメータの場合には、ＣＰＵ１０は、前記すべての入力ｃｈに設定された処理対象のパラメータの値を、オペレータの指示に応じた絶対値で変更し、また、相対値で変更されるパラメータの場合には、前記すべての入力ｃｈに設定された処理対象のパラメータの値を、オペレータの指示に応じた相対値で変更する。
【００９０】
前記「オペレータの指示に応じた絶対値で」パラメータの値を変更することとは、オペレータによって指示された値を、各入力チャンネルの新たなパラメータの値として設定することである。つまり、オペレータの変更指示によってパラメータの値「ａ」が設定された場合、各入力チャンネルのパラメータの値として「ａ」を設定する。連動するパラメータのうちで、「絶対値で」パラメータの値が変更されるものは、上記の具体例の中では、ＥＱ（イコライザ）、コンプレッサ、音量レベル、及びチャンネルオン・オフである。
【００９１】
一方、前記「オペレータの指示に応じた相対値で」パラメータの値を変更することとは、オペレータによって指示された値に応じて、各入力チャンネルのパラメータの値を相対的に変化させることである。例えば、オペレータの変更指示によってパラメータの値「ａ」が設定されたとすると、パラメータ連動ｃｈのうちの或る入力ｃｈの当該パラメータの値を「ｂ」だけ増やして、別の入力ｃｈの当該パラメータの値を「ｃ」だけ減らすという制御を行う。
連動するパラメータのうちで、その値が相対値で変更されるものの具体例としては、前記バランス設定部４２のバランスがある。本実施例では、入力ｃｈにサラウンドｃｈが設定された場合にはバランス設定部４２を挿入しない構成を想定しているが、これを挿入する構成も可能であることは、既に述べたとおりである。バランス設定部４２を挿入する構成の場合には、オペレータの指示によりバランスパラメータの値が変更されると、変更されたバランスパラメータの値に応じて、「Ｌ」、「Ｒ」、「Ｃ」、「Ｌｓ」、及び「Ｒｓ」の各入力チャンネルの音量バランスを調整して、これら５つの入力元に予め設定されたサラウンドパンの定位を調整することができる。よって、バランスパラメータとは、複数入力チャンネルで連動して制御されるパラメータであり、且つ、オペレータの指示に応じた相対値で変更されるものである。
【００９２】
今回変更指示されたパラメータが「連動しない種類」の場合（ステップＳ２４のＮＯ）、又は、当該指示対象の入力ｃｈがパラメータ非連動チャンネルの場合（ステップＳ２６のＮＯ）、コンソール１のＣＰＵ１０は、ステップＳ２９において、今回変更指示を受け付けた処理対象の入力ｃｈのみについて、変更指示されたパラメータの値を変更指示の内容に基づいて単独で変更する（この単独で変更することが非連動に相当する）。すなわち、コンソール１のフラッシュメモリ１１又はＲＡＭ１２に設けられたカレントメモリに記憶された当該パラメータの値を、当該入力ｃｈについてのみ更新するとともに、新たな値をＤＳＰ３に送信する。ＤＳＰ３は、該新たな値を受信し、当該入力ｃｈのパラメータの値だけを、該受信した新たな値に変更する。なお、パラメータが連動しない種類とは、前述のとおり、ヘッドアンプゲイン（及びヘッドアンプに関するその他のパラメータ）、アッテネータ、ディレイ、及びフェーズ切り替え等である。また、パラメータ非連動チャンネルとは、前述のとおり、入力元の種類としてＬＦＥが設定された入力ｃｈである。
【００９３】
また、指示対象の入力ｃｈがサラウンドｃｈグループに属していない場合（ステップＳ２２のＮＯ）、指示対象の入力ｃｈに設定されたチャンネルタイプがノーマルｃｈならば、コンソール１のＣＰＵ１０は指示対象の入力ｃｈにおける指示対象のパラメータのみを制御する。これにより、カレントメモリの記憶内容が上書きされるとともに、ＤＳＰ３の当該入力ｃｈにおける当該パラメータの値にのみ新たな値が設定される（ステップＳ３０の処理）。また、指示対象の入力ｃｈに設定されたチャンネルタイプがステレオチャンネルの場合、コンソール１のＣＰＵ１０は、指示対象のパラメータが「連動する種類」ならば、当該指示対象の入力ｃｈの当該パラメータと、該指示対象の入力ｃｈと同じステレオｃｈグループに属するもう一方の入力ｃｈの当該パラメータを連動して制御する。また、指示対象のパラメータが「連動しない種類」ならば、コンソール１のＣＰＵ１０は、当該指示対象の入力ｃｈにおける当該パラメータの値のみを制御する。これにより、カレントメモリの記憶内容が上書きされるとともに、ＤＳＰ３の当該パラメータの値に新たな値が設定される（ステップＳ３０の処理）。
【００９４】
なお、ノーマルブロック又はステレオブロックが設定された入力ｃｈブロックにおいて、オペレータが１つの入力ｃｈのパラメータの値を変更する変更指示を入力したときの動作は、説明を割愛する。
【００９５】
この図１１の処理により、オペレータは、５．１ｃｈサラウンド用の６個の入力元からのオ−ディオ信号が割り当てられた６本の入力ｃｈのパラメータを、各入力元の相互の関連性について過度の注意を払うことなく、各入力元間の相互の関連性を保ちながら調整できるようになる。
【００９６】
以上、説明したとおり、本実施例に係るミキシングシステムによれば、第１に、所定の複数ｃｈで構成されたサラウンド信号（例えば、６ｃｈのオーディオ信号からなる５．１ｃｈサラウンド）を取り扱う複数の入力ｃｈについて、ブロックタイプ設定を行うだけで、該複数の入力ｃｈをサラウンドチャンネルグループに設定し、サラウンドチャンネルグループに属する入力チャンネルをサラウンドバスグループに属する各バスに接続できる。よって、１組で扱うべき複数ｃｈのオーディオ信号（例えば５．１ｃｈ構成のサラウンド信号）を、所定の関連性を持つ複数ｃｈのオーディオ信号として出力する（例えばサラウンド再生する）ように設定することが、ブロックタイプ設定という極めて簡単な操作を行うだけで、可能となる。
第２に、サラウンドチャンネルグループに属する各入力ｃｈに、パラメータ連動チャンネル（「Ｌ」、「Ｒ」、「Ｃ」、「Ｌｓ」、及び「Ｒｓ」のいずれか）及びパラメータ非連動チャンネル（「ＬＦＥ」）のいずれかのチャンネルタイプを設定することにより、サラウンドチャンネルグループ内でパラメータを連動制御するか、連動制御しないかが自動的に区別できる。したがって、複数入力ｃｈのオーディオ信号（例えば５．１ｃｈ構成のサラウンド信号）を取り扱う入力ｃｈのパラメータの調整において、オペレータは、所定の複数ｃｈで構成されたサラウンド信号（例えば、６ｃｈのオーディオ信号からなる５．１ｃｈサラウンド）の相互の関連性について過度の注意を払うことなしに、各入力元間の相互の関連性を保ちながらパラメータを調整することができる。
すなわち、本実施例に係るミキシングシステムによれば、複数個の入力元を１つのまとまりとして容易に扱えるようになるという優れた効果を奏する。
【００９７】
なお、上記実施例では、入力ｃｈブロック単位でチャンネルタイプ（ブロックタイプ）を設定する構成（複数の入力ｃｈのチャンネルタイプを一括して設定する構成）について説明したが、入力ｃｈのチャンネルタイプを設定する構成は実施例のものに限られない。例えば、入力ｃｈ毎に個別にユーザがチャンネルタイプを設定する構成であってもよい。この構成において、チャンネルタイプとしてステレオチャンネルやサラウンドチャンネルを設定する場合には、予め、ユーザがステレオチャンネルグループにまとめたい２つの入力ｃｈ、もしくは、サラウンドチャンネルグループにまとめたい６つの入力ｃｈを選び、当該選んだ入力ｃｈ群をひとまとまりとして、ステレオチャンネルもしくはサラウンドチャンネルを設定するよう構成するとよい。この場合、ステレオチャンネルやサラウンドチャンネルに設定された入力ｃｈに対しては、ユーザが選択した順番やチャンネル番号順などに応じて自動的に入力元の種類を設定するとよい。もちろん、入力元の種類をユーザが直接に設定する構成でもよい。
【００９８】
なお、上記実施例では、サラウンド信号として５．１ｃｈサラウンドを使った構成を説明しているが、サラウンド信号としてその他の６．１ｃｈや７．１ｃｈを使うことも当然考えられる。５．１ｃｈサラウンド以外のサラウンド信号に対して本発明を適用する場合には、適用するサラウンド信号を構成する入力元のチャンネル数にあわせて、サラウンドチャンネルグループを構成する入力ｃｈの数、および、サラウンドバスを構成するバスの数を変更して対応すればよい。
【００９９】
なお、上記実施例では、入力ｃｈとバスの接続を設定する構成（「接続する」／「接続しない」を設定する構成）として、センドレベルのパラメータやチャンネルオン・オフのパラメータとは別に、入力ｃｈと各種バスとをつなぐ線を利用する構成を説明したが、これに限らず、センドレベルのパラメータやチャンネルオン・オフのパラメータを利用して構成してもよい。つまり、「接続する」場合には、入力ｃｈからバスへのセンドレベルの現在値を保持するか、あるいは、チャンネルオン・オフのパラメータをオンとする。また、「接続しない」場合には、当該入力ｃｈから当該バスへのセンドレベルの現在値を−∞dBに上書きする、あるいは、チャンネルオン・オフのパラメータをオフにする（さらに−∞dBを固定してユーザが調整できないようにする）。入力ｃｈと各種バスとの接続を設定する構成の変更例には、このような構成がある。
【０１００】
《第２の実施形態》
次に、第２の実施形態として、液晶ディスプレイ（表示部１５）に表示される「セレクテッドｃｈ用表示領域」の表示デザイン（同領域におけるＧＵＩ部品の構成）を、入力ｃｈに設定されたチャンネルネルタイプに応じて変更する実施形態を説明する。
【０１０１】
《セレクテッドチャンネル部》
図１２において、コンソール１の操作パネルにおける「セレクテッドチャンネル部」を抽出して示す。「セレクテッドｃｈ部」は、複数の物理操作子群が設けられた物理操作子領域５０と、液晶ディスプレイ（表示部１５）内の一部に確保されたセレクテッドｃｈ用の表示領域５１からなる。液晶ディスプレイは、タッチパネル式の表示器で構成され、画面上に表示された各種ＧＵＩ部品（操作子画像など）を用いて各種指示を入力できる。
【０１０２】
「セレクテッドｃｈ部」は、操作パネルの一部であって、オペレータによって選択された１つのチャンネル（セレクテッドｃｈ）について、物理操作子領域５０に設けられた物理操作子や表示領域５１に表示された各種ＧＵＩ部品を用いて、各種パラメータを詳細に調整するための領域である。なお、デジタルオーディオミキサにおいて、複数チャンネルのうちの選択された１つを「セレクテッドｃｈ部」に呼び出す機能は、従来から知られている。なお、以下の説明では、入力ｃｈを「セレクテッドｃｈ部」に呼び出す実施形態を想定するが、「セレクテッドｃｈ部」に呼び出すことができるチャンネルは入力ｃｈに限定されない。
【０１０３】
《物理操作子領域》
物理操作子領域５０において、複数のノブ型物理操作子５２は、ユーザによって選択された１つの入力ｃｈ（セレクテッドｃｈ）から、後述するバス群選択用スイッチ５３により選択されたバス群に含まれるバスへ送出されるオーディオ信号に関するパラメータ（基本的には、センドレベル）を調整する物理操作子である。図１２の例では、１６個のノブ型物理操作子５２が横２列縦８段に整列されている。
【０１０４】
複数のバス群選択用スイッチ５３（図１２では８個）は、１６個のノブ型物理操作子５２及び後述するセンドレベル表示領域５４に割り当てるバス群を切り替えるスイッチである。各バス群選択用スイッチ５３には、１６個のバスを１組とするバス群が割り当てられている。バス群の組み合わせは、例えば、バス番号順に１６本を１組とする組み合わせ（バス番号１〜１６、１７〜３２、３３〜４８、４９〜６４・・・）である。バス群選択用スイッチ５３は、押しボタンスイッチにより構成され、８個のうち１つのみが排他的にオンになる。オペレータは、８個のバス群選択用スイッチ５３うち任意の１つをオンにすることで、１６個のノブ型物理操作子５２に割り当てる１６本のバス群を選択することができる。
【０１０５】
１６個のノブ型物理操作子５２には、それぞれ、バス群選択用スイッチ５３により現在選択された１６本のバス群に含まれるバスが１つずつ割り当てられる。そして、ノブ型物理操作子５２の制御対象のパラメータとして、セレクテッドｃｈ部に現在選択されている１つの入力ｃｈから、前記割り当てられたバスへ送出するオーディオ信号の音特性を調整するパラメータが割り当てられる。各ノブ型物理操作子５２に割り当てるパラメータの種類は、後述する通り、センドレベル表示領域の表示デザイン（選択中のチャンネルタイプ及び選択中のバスタイプの組み合わせ）に応じて、決定される。
【０１０６】
《センドレベル表示領域》
セレクテッドｃｈ用表示領域５１には、ユーザによって選択されたチャンネルについて各種パラメータを詳細に調整するためのパラメータ画像（ＧＵＩ部品）が配置される。セレクテッドｃｈ用表示領域５１には、図１３（ａ）〜（ｄ）に示すセンドレベル表示領域５４が設けられている。センドレベル表示領域５４は、セレクテッドｃｈ部に現在選択されている１つの入力ｃｈから、バス群選択用スイッチ５３により現在選択されているバス群に含まれる各バスへ送出されるオーディオ信号に関するパラメータを、パラメータ画像により一覧表示する領域である。センドレベル表示領域５４の表示デザイン（同領域に表示するパラメータ画像及びパラメータの種類）は、詳しくは後述する通り、セレクテッドｃｈ部に選択された入力ｃｈのチャンネルタイプ（ノーマルｃｈ、ステレオｃｈ及びサラウンドｃｈ）と、現在選択されているバス群に含まれる各バスに設定されているバスタイプ（ノーマルバス、ステレオバス、サラウンドバス）の組み合わせに応じて変更される。
【０１０７】
《基本タイプ》
図１３（ａ）に示す「基本タイプ」のセンドレベル表示領域５４は、選択された入力ｃｈに設定されたチャンネルタイプが「ノーマルｃｈ」であり、且つ、選択されたバス群の全てのバスに設定されたバスタイプが「ノーマルバス」である場合を想定している。
【０１０８】
図１４は、「基本タイプ」における入力ｃｈとバスの接続形態と、入力ｃｈとバスの間に挿入されるパラメータの種類を説明するブロック図である。図１４に示す「基本タイプ」の場合、１つの入力ｃｈ２１（ノーマルチャンネル）は、全てのバス２２（ノーマルバス）の１つずつに並列に接続される。そして、入力ｃｈと各バス２２の間に、その入力ｃｈからそのバスへのセンドレベルを調整するセンドレベルパラメータ７０と、該バスへの信号送出オン・オフを設定するセンド・オン／オフパラメータ７１が設けられている。センドレベルパラメータ７０の初期値は、マイナス無限大デシベル（入力された音量を完全に絞る状態）に設定される。また、センド・オン／オフパラメータ７１の初期値は、オンに設定される。つまり、入力ｃｈと各バスの接続の初期設定は、センドレベルパラメータ７０の初期値により「接続しない」設定になっている。
【０１０９】
図１３（ａ）に示す通り、「基本タイプ」のセンドレベル表示領域５４には、パラメータ画像として、図１４に示すセンドレベルパラメータ７０を表すノブ型仮想操作子画像（センドレベル用操作子画像）５５が表示される。センドレベル表示領域５４には、バス群選択用スイッチ５３により現在選択されているバス群（１６本のバス）に含まれるバスの１つずつに対応する１６個のセンドレベル用操作子画像５５が一覧表示される。
【０１１０】
オペレータは、センドレベル用操作子画像５５を用いて、その画像に割り当てられたパラメータ（センドレベル）の設定値を調整することができる。センドレベル用操作子画像５５を用いたパラメータの調整の仕方（操作方法）は、タッチパネル式ディスプレイ上で画像を指摘して、当該画像を仮想的に操作する（例えば画面上でノブを回す動作をする）方法や、画像を指摘した後に、操作パネル上の何らかの物理操作子（例えば、テンキーやノブ型物理操作子など）を用いて値を変更する方法等、従来から知られるいかなる方法で実現してもよい。また、センドレベル用操作子画像５５は、その画像に割り当てられたパラメータの設定値を識別できる表示形態で表示することができる。その表示形態の具体例としては、パラメータの設定値に応じて、操作子画像の回転位置を変更することや、或いは、操作子画像の近傍にパラメータの設定値を数字で表示することなどがある。なお、以下に説明する全てのノブ型仮想操作子画像は、上記と同様に、その画像に割り当てられたパラメータの設定値を調整することや、表示形態により該設定値を識別させることができるものである。
【０１１１】
オペレータは、バス群選択用スイッチ５３を用いて、センドレベル表示領域５４の１６個のセンドレベル用操作子画像５５（領域５４に一覧表示する１６本のバス）を切り替えることができる。なお、図１３において、説明の便宜上、センドレベル表示領域５４に一覧表示するバス群（１６本のバス）としてバス番号１〜１６のバスが選択された状態を想定し、各センドレベル用操作子画像５５の近傍に、各画像５５に割り当てられたバスのバス番号を示す。
【０１１２】
また、「基本タイプ」のセンドレベル表示領域５４において、１６個のセンドレベル用操作子画像５５は横２列縦８段に整列されている。画像５５の配列は、物理操作子領域５０に設けられた１６個のノブ型物理操作子５２の配列に対応している。そして、対応する位置にあるセンドレベル用操作子画像５５とノブ型物理操作子５２には、同じパラメータ（同じバス番号のバス）が割り当てられる。したがって、オペレータは、ノブ型物理操作子５２を操作することで、その物理操作子５２に対応するセンドレベル用操作子画像５５に割り当てられたパラメータ（バスへのセンドレベル）の値を変更することができる。なお、当該「基本タイプ」の表示デザインでセンドレベル表示領域５４を表示することは、従来のデジタルミキサにおいても行われていた。
【０１１３】
《センドレベル表示領域の表示デザイン切り替え》
図１５は、センドレベル表示領域の表示デザイン切り替え処理の手順を説明するフローチャートである。コンソール１のＣＰＵ１０は、セレクテッドｃｈ部に選択する入力ｃｈ（セレクテッドｃｈ）として新たな入力ｃｈを選択する指示を検出したとき、又は、バス群選択用スイッチ５３を用いたバス群の変更指示を検出したとき（新たなバス群を選択する指示を検出したとき）に、図１５の処理を起動する。
【０１１４】
ステップＳ３１において、ＣＰＵ１０は、前記ステップＳ２においてフラッシュメモリ１１又はＲＡＭ１２に記録した入力ｃｈとチャンネルタイプの関係に基づいて、「セレクテッドチャンネル部」に呼び出すべき入力ｃｈに設定されたチャンネルタイプを確認する。ＣＰＵ１０は、本処理の起動時に新たな入力ｃｈを選択する指示を検出した場合には、新たに選択された入力ｃｈに設定されたチャンネルタイプを確認し、本処理の起動時に新たなバス群を選択する指示を検出した場合には、現在選択されている入力ｃｈに設定されたチャンネルタイプを確認する。
【０１１５】
ステップＳ３２において、ＣＰＵ１０は、センドレベル表示領域に表示すべきバス群に含まれる各バスに設定されたバスタイプ（バスの種類）を確認する。ＣＰＵ１０は、本処理の起動時に新たな入力ｃｈを選択する指示を検出した場合には、現在選択されているバス群に含まれる各バスに設定された各バスタイプを確認し、また、本処理の起動時に新たなバス群を選択する指示を検出した場合には、新たに選択されたバス群に含まれる各バスに設定された各バスタイプを確認する。
【０１１６】
ステップＳ３３において、ＣＰＵ１０は、ステップＳ３１及びＳ３２で確認したチャンネルタイプ及びバスタイプの組み合わせに応じて、センドレベル表示領域５４の表示デザイン（ＧＵＩ部品（パラメータ画像）の構成）を切り替える。具体的には、ＣＰＵ１０は、チャンネルタイプ及びバスタイプの組み合わせに応じて、センドレベル表示領域５４に表示すべきパラメータ（各パラメータ画像に割り当てるパラメータ）を決定し、該決定したパラメータに応じたパラメータ画像を表示する。また、ＣＰＵ１０は、セレクテッドｃｈ部に具わる１６個のノブ型物理操作子５２の１つずつに対して、ステップＳ３１及びＳ３２で確認したチャンネルタイプ及びバスタイプの組み合わせに応じた（つまりセンドレベル表示領域５４の表示デザインに応じた）パラメータを割り当てる。また、ＣＰＵ１０は、センドレベル表示領域５４の各パラメータ画像、及び、各ノブ型物理操作子５２に割り当てられるパラメータの種類をメモリ（フラッシュメモリ１１又はＲＡＭ１２）に記憶する。
【０１１７】
以下に、図１３（ｂ）〜（ｃ）、図１６、図１７、及び、図１８を参照して、チャンネルタイプ及びバスタイプの組み合わせに応じたセンドレベル表示領域５４の表示デザインと、センドレベル表示領域５４に表示されるパラメータの種類について説明する。なお、バス番号１〜１６の１６本のバス群がバス群選択用スイッチ５３により選択されているものとし、これら１６本のバスには、バスタイプとして、バス番号１〜８にノーマルバス、バス番号９、１０の２本のバスに１組のステレオバスグループを形成するステレオバス、バス番号１０〜１６の６本のバスに１組のサラウンドバスグループを形成するサラウンドバスがそれぞれ設定されているものとする。
【０１１８】
《ノーマルチャンネルの場合》
選択された入力ｃｈに設定されたチャンネルタイプがノーマルチャンネルの場合、センドレベル表示領域５４は、図１３（ｂ）に示す表示デザインで表示される。図１６は、ノーマルチャンネルが設定された入力ｃｈ「Ｘ」と各バスの接続態様、及び、入力ｃｈ「Ｘ」と各バスの間に挿入されるパラメータ（センドレベル表示領域５４に表示されるパラメータ）の種類を説明する図である。なお、図１６において、入力ｃｈ「Ｘ」と、ノーマルバス、ステレオバス及びサラウンドバスの接続態様は、図８を参照して説明したものと同様である。
【０１１９】
《ノーマルｃｈとノーマルバスの組み合わせ》
図１６に示す通り、チャンネルタイプとしてノーマルチャンネルが設定された入力ｃｈ「Ｘ」は、センドレベルパラメータ７２を介して、８本のノーマルバスの１つずつに並列に接続するよう設定される。すなわち、バス毎に１つのセンドレベルパラメータ７２を設定する。センドレベルパラメータ７２は、入力ｃｈ「Ｘ」からノーマルバスへのセンドレベルを調整するパラメータである。なお、図示省略したが、図１４と同様に、各センドレベルパラメータ７２の後段に、バス毎のセンド・オン／オフパラメータを設けてもよい。
【０１２０】
図１３（ｂ）において、ノーマルバス領域５６には、パラメータ画像として、図１６のセンドレベルパラメータ７２を表す８つのノブ型仮想操作子画像（センドレベル用操作子画像）５９が表示される。オペレータは、８つのセンドレベル用操作子画像５９のそれぞれを用いて、現在選択されている入力ｃｈから、現在選択されているバス群に含まれる８本のノーマルバス（バス番号１〜８）のうちの、その画像に対応するバスへのセンドレベルを調整することができる。各センドレベル用操作子画像５９の近傍に、各画像５９に対応するノーマルバスのバス番号を示す。
【０１２１】
《ノーマルｃｈとステレオバスの組み合わせ》
図１６に示す通り、１つの入力ｃｈ「Ｘ」は、レベルパラメータ７３及びパンパラメータ７４を介して、２本１組のステレオバスＬ，Ｒに接続するよう設定される。すなわち、２つのバスに対して１つのレベルパラメータ７３と１つのパンパラメータ７４を設定する。なお、図８では、入力ｃｈ「Ｘ」とステレオバスグループを接続するラインに挿入されるパラメータを、「パン４０」という１つのブロックで表現していた。パンパラメータ７４は、入力ｃｈ「Ｘ」からステレオバスグループ（ステレオバスＬ及びＲの２本）へのステレオパンを調整するパラメータである。レベルパラメータ７３は、パンパラメータ７４の前段に設けられており、入力ｃｈ「Ｘ」からパンパラメータ７４に供給するオーディオ信号のレベルを調整することで、２本のステレオバスＬ及びＲの両方へ送出するオーディオ信号を同時に調整するパラメータである。
【０１２２】
図１３（ｂ）のステレオバス領域５７には、パラメータ画像として、図１６のステレオバスへのパンパラメータ７４を表すノブ型仮想操作子画像（パン用操作子画像）６０と、図１６のレベルパラメータ７３を表すノブ型仮想操作子画像（レベル用操作子画像）６１が表示される。オペレータは、パン用操作子画像６０を用いて、現在選択されている入力ｃｈから、現在選択されているバス群に含まれるステレオバスグループ（バス番号９のステレオバスＬ及びバス番号１０のステレオバスＲ）へのステレオパンを調整することができる。また、オペレータは、レベル用操作子画像６１を用いて、現在選択されている入力ｃｈから、現在選択されているバス群に含まれるステレオバスグループへのレベルを調整することができる。パン用操作子画像６０及びレベル用操作子画像６１の近傍には、これら画像に割り当てられたパラメータがステレオバスに関するものであることを表す文字列「ＳＴ」が表示される。
【０１２３】
《ノーマルｃｈとサラウンドバスの組み合わせ》
図１６に示す通り、１つの入力ｃｈ「Ｘ」は、レベルパラメータ７５及びサラウンドパンパラメータ７６を介して、サラウンドバスグループのうちの５本のサラウンドバスＬ，Ｒ，Ｃ，Ｌｓ，Ｒｓに接続するよう設定され、且つ、ＬＦＥレベルパラメータ７７を介して、サラウンドバスグループのうちの１本のサラウンドバスＬＦＥに接続するよう設定される。すなわち、５本のサラウンドバスＬ，Ｒ，Ｃ，Ｌｓ，Ｒｓに対して１つの１つのレベルパラメータ７５と１つのパンパラメータ７６を設定し、且つ、残りの１本のサラウンドバスＬＦＥに対して、１つのＬＦＥレベルパラメータ７７を設定する。なお、図８では、入力ｃｈ「Ｘ」とサラウンドバスグループを接続するラインに挿入されるパラメータを、「サラウンドパン４１」という１つのブロックで表現していた。サラウンドパンパラメータ７６は、入力ｃｈ「Ｘ」から５本のサラウンドバス（Ｌ，Ｒ，Ｃ，Ｌｓ，Ｒｓ）へのサラウンドパンの定位を調整するパラメータである。レベルパラメータ７５は、サラウンドパンパラメータ７６の前段に設けられており、入力ｃｈ「Ｘ」からサラウンドパンパラメータ７６へ供給するオーディオ信号のレベルを調整することで、５本のサラウンドバス（Ｌ，Ｒ，Ｃ，Ｌｓ，Ｒｓ）へ送出するオーディオ信号のレベルを同時に調整するパラメータである。ＬＦＥレベルパラメータ７７は、入力ｃｈ「Ｘ」から１本のバス（ＬＦＥ）へ送出するオーディオ信号のレベルを調整するパラメータである。
【０１２４】
図１３（ｃ）のサラウンドバス領域５８には、パラメータ画像として、図１６のサラウンドパンパラメータ７６を示す定位画像６２と、図１６のＬＦＥレベルパラメータ７７を表すノブ型仮想操作子画像（ＬＦＥｃｈのレベル用操作子画像）６３と、図１６のレベルパラメータ７５を表すノブ型仮想操作子画像（サラウンドｃｈのレベル用操作子画像）６４が表示される。定位画像６２は、現在選択されている入力ｃｈについて、サラウンドパンパラメータ７６の設定値に応じた定位の設定状態を、２次元座標上に表示する。なお、定位画像６２を用いて（例えば、２次元座標上で定位の位置を指定する操作等により）、サラウンドパンパラメータ７６の設定値を調整できてもよい。オペレータは、ＬＥＦレベル用操作子画像６３を用いて、現在択されている入力ｃｈから、現在選択されているバス群に含まれるサラウンドバスＬＦＥ（バス番号１６）へのレベルを調整することができる。また、オペレータは、レベル用操作子画像６４を用いて、現在選択されている入力ｃｈから、現在選択されているバス群に含まれるサラウンドバスＬ，Ｒ，Ｃ，Ｌｓ，Ｒｓ（バス番号１１〜１５）へのレベルを調整することができる。レベル用操作子画像６３及びレベル用操作子画像６４の近傍には、これら画像に割り当てられたパラメータがサラウンドバスに関するものであることを表す文字列「ＳＵＲＲ」が表示される。
【０１２５】
《ステレオチャンネルの場合》
選択された入力ｃｈに設定されたチャンネルタイプがステレオチャンネルの場合、センドレベル表示領域５４は、図１３（ｃ）に示す表示デザインで表示される。図１７は、ステレオチャンネルが設定された２本の入力ｃｈ（Ｌ及びＲ）と各バスの接続態様、及び、各入力ｃｈと各バスの間に挿入されるパラメータ（センドレベル表示領域５４に表示されるパラメータ）の種類を説明する図である。なお、図１７において、入力ｃｈ（Ｌ及びＲ）と、ノーマルバス、ステレオバス及びサラウンドバスの接続態様は、図９を参照して説明したものと同様である。
【０１２６】
《ステレオｃｈとノーマルバスの組み合わせ》
図１７に示す通り、１組のステレオｃｈグループを形成する各入力ｃｈ（Ｌ及びＲ）は、それぞれ、前述したノーマルｃｈとノーマルバスの組み合わせと同様に（図１６参照）、センドレベルパラメータ７２を介して、８本のノーマルバスの１つずつに接続するよう設定される。
【０１２７】
図１３（ｃ）に示す通り、ステレオｃｈとノーマルバスの組み合わせに関するノーマルバス領域５６の表示デザインは、図１３（ｂ）に示すノーマルバス領域５６の表示デザインと概ね同様に、パラメータ画像として、図１７のセンドレベルパラメータ７２を表す８つのセンドレベル用操作子画像５９を表示するものである。オペレータは、各センドレベル用操作子画像５９を用いて、現在選択されている入力ｃｈ（Ｌ又はＲ）から、現在選択されているバス群に含まれる８本のノーマルバス（バス番号１〜８）のうちの、その画像に割り当てられたバスへのセンドレベルを調整することができる。
【０１２８】
《ステレオｃｈとステレオバスの組み合わせ》
図１７に示す通り、ステレオ入力ｃｈ「Ｌ」は、レベルパラメータ７８及びバランスパラメータ７９を介して、ステレオバスＬに接続するよう設定され、また、ステレオ入力ｃｈ「Ｒ」は、レベルパラメータ７８及びバランスパラメータ７９を介して、ステレオバスＲに接続するよう設定される。なお、図９では、入力ｃｈ「Ｌ」及び「Ｒ」とステレオバスグループを接続するラインに挿入されるパラメータを、「バランス設定部４２」という１つのブロックで表現していた。
バランスパラメータ７９は、入力ｃｈ「Ｌ」からステレオバスＬへ送出するオーディオ信号及び及び入力ｃｈ「Ｒ」からステレオバスＲへ送出するオーディオ信号の音量レベルのバランスを、入力ｃｈ「Ｌ」及び「Ｒ」で同時に（連動して）調整するパラメータである。このバランスパラメータ７９の動作は、図９に示すバランス設定部４２の動作と同じものである。レベルパラメータ７８は、バランスパラメータ７９の前段に設けられており、その入力ｃｈ（Ｌ又はＲ）から、対応するステレオバス（Ｌ又はＲ）へ送出するオーディオ信号（バランスパラメータ７９に供給するオーディオ信号）のレベルを調整するパラメータである。なお、レベルパラメータ７８は、ステレオ関係にある２つの入力ｃｈ「Ｌ」及び「Ｒ」からステレオバスＬ及びＲへのレベルを同時に（連動して）調整するよう構成されてもよい。
【０１２９】
図１３（ｃ）において、ステレオバス領域５７には、パラメータ画像として、図１７のバランスパラメータ７９を表すノブ型仮想操作子画像（バランス用操作子画像）６５と、図１７のレベルパラメータ７８を表すノブ型操仮想作子画像（レベル用操作子画像）６６が表示される。オペレータは、バランス用操作子画像６５を用いて、現在選択されている入力ｃｈ及びその入力ｃｈとステレオ関係にある別の入力ｃｈ（Ｌ及びＲ）から、現在選択されているバス群に含まれる２本のステレオバス（バス番号９、１０）へ送出するオーディオ信号の音量レベルのバランスを、入力ｃｈ「Ｌ」及び「Ｒ」で同時に（連動して）調整することができる。また、オペレータは、レベル用操作子画像６６を用いて、現在選択されている入力ｃｈから、現在選択されているバス群に含まれる２本のステレオバス（バス番号９、１０）へのレベルを調整できる。なお、レベルパラメータ７８がステレオバスＬ及びＲで連動する構成の場合は、レベル用操作子画像６６の操作により、現在選択されている入力ｃｈ及びその入力ｃｈとステレオ関係にある別の入力ｃｈ（Ｌ及びＲ）」の両ｃｈからステレオバスＬ及びＲへのレベルを同時に（連動して）調整することができる。
【０１３０】
《ステレオｃｈとサラウンドバスの組み合わせ》
図１７に示す通り、２つの入力ｃｈ「Ｌ」、「Ｒ」は、それぞれ、前述したノーマルｃｈサラウンドバスの組み合わせと同様に（図１６参照）、レベルパラメータ７５及びサラウンドパンパラメータ７６を介して、サラウンドバスグループのうちの５本のバス（Ｌ，Ｒ，Ｃ，Ｌｓ，Ｒｓ）に接続するよう設定され、且つ、ＬＦＥレベルパラメータ７７を介して、サラウンドバスグループのうちの１本のバス（ＬＦＥ）に接続するよう設定される。なお、図９では、入力ｃｈ「Ｌ」、「Ｒ」とサラウンドバスグループを接続するラインに挿入されるパラメータを、「サラウンドパン４１」という１つのブロックで表現していた。なお、ステレオｃｈとサラウンドバスの組み合わせの場合、レベルパラメータ７５、及び、ＬＦＥレベルパラメータ７７は、ステレオ関係にある２つの入力ｃｈ「Ｌ」及び「Ｒ」のパラメータを同時に（連動して）調整するよう構成されてもよい。
【０１３１】
図１３（ｃ）に示す通り、ステレオｃｈとサラウンドバスの組み合わせに関するサラウンドバス領域５８の表示デザインは、図１３（ｂ）に示すサラウンドバス領域５８の表示デザインと概ね同様に、パラメータ画像として、定位画像６２と、ＬＦＥｃｈのレベル用操作子画像６３と、レベル用操作子画像６４を表示するものである。オペレータは、レベル用操作子画像６３を用いて、現在選択されている入力ｃｈ（Ｌ又はＲ）から、現在選択されているバス群のうちのサラウンドバスＬＦＥ（バス番号１６）へのレベルを調整できる。また、オペレータは、レベル用操作子画像６４を用いて、現在選択されている入力ｃｈ（Ｌ又はＲ）から、現在選択されているバス群のうちの５本のサラウンドバスＬ，Ｒ，Ｃ，Ｌｓ，Ｒｓ（バス番号１１〜１５）へのレベルを調整できる。また、定位画像６２は、現在選択されている入力ｃｈ及びその入力ｃｈとステレオ関係にある別の入力ｃｈ（ステレオ入力ｃｈ「Ｌ」及び「Ｒ」）のそれぞれについて、サラウンドパンパラメータ７６の設定値に応じた定位の設定状態を、２次元座標上に表示する。したがって、定位画像６２に２ｃｈ分の定位の設定状態が表示される点が図１３（ｂ）とは異なる。
【０１３２】
なお、ステレオｃｈとサラウンドバスの組み合わせの場合、レベル用操作子画像６３を用いて、現在選択されている入力ｃｈ及びその入力ｃｈとステレオ関係にある別の入力ｃｈ（ステレオ入力ｃｈ「Ｌ」及び「Ｒ」）から、現在選択されているバス群のうちのサラウンドバスＬＦＥ（バス番号１６）へのレベルを同時に（連動して）調整できるよう構成してもよい。また、レベル用操作子画像６４を用いて、現在選択されている入力ｃｈ及びその入力ｃｈとステレオ関係にある別の入力ｃｈ（ステレオ入力ｃｈ「Ｌ」及び「Ｒ」）から、現在選択されているバス群のうちの５本のサラウンドバスＬ，Ｒ，Ｃ，Ｌｓ，Ｒｓ（バス番号１１〜１５）へのレベルを同時に（連動して）調整できるよう構成してもよい。
【０１３３】
《サラウンドｃｈの場合》
選択された入力ｃｈに設定されたチャンネルタイプがサラウンドチャンネルの場合、センドレベル表示領域５４は、図１３（ｄ）に示す表示デザインで表示される。図１８は、サラウンドｃｈが設定された６本の入力ｃｈ（Ｌ，Ｒ，Ｃ，Ｌｓ，Ｒｓ及びＬＦＥ）と各バスの接続態様、及び、各入力ｃｈと各バスの間に挿入されるパラメータ（センドレベル表示領域５４に表示されるパラメータ）の種類を説明する図である。なお、図１８において、入力ｃｈと、ノーマルバス、ステレオバス及びサラウンドバスの接続態様は、図８を参照して説明したものと同様である。
【０１３４】
《サラウンドｃｈとノーマルバスの組み合わせ》
図１８に示す通り、１組のサラウンドｃｈグループを形成する各入力ｃｈ（Ｌ，Ｒ，Ｃ，Ｌｓ，Ｒｓ及びＬＦＥ）は、それぞれ、前述したノーマルｃｈとノーマルバスの組み合わせと同様に（図１６参照）、センドレベルパラメータ７２を介して、８本のノーマルバスの１つずつに接続するよう設定される。
【０１３５】
図１３（ｄ）に示す通り、サラウンドｃｈとノーマルバスの組み合わせに関するノーマルバス領域５６の表示デザインは、図１３（ｂ）に示すノーマルバス領域５６の表示デザインと概ね同様に、パラメータ画像として、図１８のセンドレベルパラメータ７２を表す８つのセンドレベル用操作子画像５９を表示するものである。オペレータは、各センドレベル用操作子画像５９を用いて、現在選択されている入力ｃｈ（Ｌ，Ｒ，Ｃ，Ｌｓ，Ｒｓ及びＬＦＥのいずれか１つ）から、現在選択されているバス群に含まれる８本のノーマルバス（バス番号１〜８）のうちの、その画像に対応するバスへのセンドレベルを調整できる。
【０１３６】
《サラウンドｃｈとステレオバスの組み合わせ》
図１８に示す通り、１組のサラウンドｃｈグループを形成する各入力ｃｈ（Ｌ，Ｒ，Ｃ，Ｌｓ，Ｒｓ及びＬＦＥ）は、それぞれ、前述したノーマルｃｈとステレオバスの組み合わせと同様に（図１６参照）、レベルパラメータ７３及びパンパラメータ７４を介して、２本１組のステレオバスＬ，Ｒに接続するよう設定される。
【０１３７】
図１３（ｄ）に示す通り、サラウンドｃｈとステレオバスの組み合わせに関するステレオバス領域５７の表示デザインは、図１３（ｂ）に示すノーマルバス領域５６の表示デザインと概ね同様に、パラメータ画像として、図１８のパンパラメータ７４を表すパン用操作子画像６０と、図１８のレベルパラメータ７３を表すレベル用操作子画像６１を表示するものである。オペレータは、パン用操作子画像６０を用いて、現在選択されている入力ｃｈ（Ｌ，Ｒ，Ｃ，Ｌｓ，Ｒｓ及びＬＦＥのいずれか１つ）から、現在選択されているバス群に含まれるステレオバスグループ（バス番号９のステレオバスＬ及びバス番号１０のステレオバスＲ）へのステレオパンを調整できる。また、オペレータは、レベル用操作子画像６１を用いて、現在選択されている入力ｃｈ（Ｌ，Ｒ，Ｃ，Ｌｓ，Ｒｓ及びＬＦＥのいずれか１つ）から、現在選択されているバス群に含まれるステレオバスグループへのレベルを調整できる。
【０１３８】
《サラウンドｃｈとサラウンドバスの組み合わせ》
図１８に示す通り、１組のサラウンドｃｈグループを形成する６本の入力ｃｈ（Ｌ，Ｒ，Ｃ，Ｌｓ，Ｒｓ及びＬＦＥ）のうちの５本の入力ｃｈ（Ｌ，Ｒ，Ｃ，Ｌｓ及びＲｓ）は、それぞれ、レベルパラメータ８０を介して、対応するサラウンドバス（Ｌ，Ｒ，Ｃ，Ｌｓ及びＲｓ）に接続するよう設定される。また、１組のサラウンドｃｈグループを形成する６本の入力ｃｈのうちの１つの入力ｃｈ（ＬＦＥ）は、ＬＦＥレベルパラメータ８１を介して、サラウンドバスグループのうちの１本のバス（ＬＦＥ）に接続するよう設定される。各入力ｃｈに設けられたレベルパラメータ８０は、入力ｃｈ「Ｌ」からサラウンドバスＬへ、入力ｃｈ「Ｒ」からサラウンドバスＲへ、入力ｃｈ「Ｃ」からサラウンドバスＣへ、入力ｃｈ「Ｌｓ」からサラウンドバスＬｓへ、及び、入力ｃｈ「Ｒｓ」からサラウンドバスＲｓへ、送出する各オーディオ信号のレベルを、同時に（連動して）調整するパラメータである。したがって、各入力ｃｈに設けられたレベルパラメータ８０は、５つとも同じ値に設定される。５本の入力ｃｈ（Ｌ，Ｒ，Ｃ，Ｌｓ及びＲｓ）に予め設定されているサラウンドパン（定位）の設定状態を保持するためである。ＬＦＥレベルパラメータ８１は、入力ｃｈ「ＬＦＥ」からサラウンドバスＬＦＥへ送出するオーディオ信号のレベルを調整するパラメータである。
【０１３９】
図１３（ｄ）において、サラウンドバス領域５８には、パラメータ画像として、図１８のＬＦＥレベルパラメータ８１を表すノブ型操仮想作子画像（ＬＦＥレベル用操作子画像画像）６６と、図１８のレベルパラメータ８０を表すノブ型仮想操作子画像（レベル用操作子画像）６７が表示される。サラウンドｃｈグループの場合、６本の入力ｃｈの間で相互の関連性（サラウンドパン（定位）の設定状態）が予め決められているため、図１８に示す通り、サラウンドバスの前段にサラウンドパンパラメータが入らない。したがって、サラウンドバス領域５８には定位画像が表示されない。
【０１４０】
また、図１３（ｄ）において、レベル用操作子画像６６は、現在選択されている入力ｃｈがサラウンドｃｈグループ内のいずれの入力ｃｈであっても、常に、ＬＦＥ用入力ｃｈから現在選択されているバス群のうちのサラウンドバスＬＦＥ（バス番号１６）へのレベルを表示する。オペレータは、レベル用操作子画像６６を用いて、現在選択されている入力ｃｈが属するサラウンドｃｈグループ内のＬＦＥ用入力ｃｈから、現在選択されているバス群のうちのサラウンドバスＬＦＥ（バス番号１６）へのレベルを調整できる。また、レベル用操作子画像６７は、現在選択されている入力ｃｈがサラウンドｃｈグループ内のいずれの入力ｃｈであっても、該入力ｃｈが属するサラウンドｃｈグループ内の５本の入力ｃｈ（Ｌ，Ｒ，Ｃ，Ｌｓ及びＲｓ）から５本のサラウンドバス（Ｌ，Ｒ，Ｃ，Ｌｓ及びＲｓ）へのレベルを表示する。したがって、レベル用操作子画像６７は、現在選択されている入力ｃｈがサラウンドｃｈグループ内のいずれの入力ｃｈであっても、レベルパラメータとして同じ値を表示する。オペレータは、レベル用操作子画像６７を用いて、現在選択されている入力ｃｈが属するサラウンドｃｈグループ内の５本の入力ｃｈ（Ｌ，Ｒ，Ｃ，Ｌｓ及びＲｓ）から５本のサラウンドバス（Ｌ，Ｒ，Ｃ，Ｌｓ及びＲｓ）へのレベルを、同時に（連動して）調整できる。このように、サラウンドｃｈとサラウンドバスの組み合わせの場合は、例外的に、レベル用操作子画像６６又はレベル用操作子画像６７に割り当てられたパラメータが、セレクテッドｃｈ部に現在選択されている入力ｃｈに関するものになるとは限らない。
【０１４１】
《物理操作子へのパラメータ割り当て》
セレクテッドｃｈ部に具わる１６個のノブ型物理操作子５２に対するパラメータの割り当ては、前記図１５のステップＳ３３の処理により、ステップＳ３１及びＳ３２で確認したチャンネルタイプ及びバスタイプの組み合わせに応じて（つまりセンドレベル表示領域５４の表示デザインに応じて）、ＣＰＵ１０が決定する。前述の通り、図１３（ａ）に示す「基本タイプ」で表示される１６個の仮想操作子画像５５の配列は、物理操作子領域５０に設けられた１６個のノブ型物理操作子５２の配列に対応しており、対応する位置にある画像５５とノブ型物理操作子５２に同じパラメータ（同じバス番号のバス）が割り当てられる。図１３（ｂ）、（ｃ）又は（ｄ）に示す表示デザインの場合も同様に、対応する位置にあるパラメータ画像と物理操作子５２に同じパラメータ（同じバス番号のバス）が割り当てられる。
【０１４２】
図１３（ｂ）、（ｃ）又は（ｄ）に示す表示デザインでセンドレベル表示領域５４が表示される場合、バス番号１〜８の各物理操作子５２の制御対象は、ノーマルバス領域５６に表示されたバス番号１〜８のセンドレベル用操作子画像５９に割り当てられたセンドレベルパラメータである。例えば、バス番号１の物理操作子５２の制御対象として、バス番号１のセンドレベル用操作子画像５９に割り当てられたセンドレベルパラメータが割り当てられる。
【０１４３】
また、図１３（ｂ）、（ｃ）又は（ｄ）に示す表示デザインでセンドレベル表示領域５４が表示される場合、バス番号９、１０の各物理操作子５２の制御対象として、ステレオバス領域５７に表示されたパラメータ画像に割り当てられたパラメータが割り当てられる。図１３（ｂ）の「ノーマルｃｈ」及び図１３（ｃ）の「サラウンドｃｈ」の表示デザインでセンドレベル表示領域５４が表示される場合、バス番号９の物理操作子５２の制御対象は、パン用操作子画像６０に割り当てられたパンパラメータであり、バス番号１０の物理操作子５２の制御対象は、レベル用操作子画像６１に割り当てられたレベルパラメータである。また、図１３（ｃ）の表示デザインでセンドレベル表示領域５４が表示される場合、バス番号９の物理操作子５２の制御対象は、バランス用操作子画像６５に割り当てられたバランスパラメータであり、バス番号１０の物理操作子５２の制御対象は、レベル用操作子画像６１に割り当てられたレベルパラメータである。
【０１４４】
また、図１３（ｂ）、（ｃ）又は（ｄ）に示す表示デザインでセンドレベル表示領域５４が表示される場合、バス番号１１〜１６の各物理操作子５２の制御対象として、サラウンドバス領域５８に表示されたパラメータ画像に割り当てられたパラメータが割り当てられる。図１３（ｂ）、（ｃ）又は（ｄ）に示す通り、バス番号１１、１２、１３及び１４の４つの各物理操作子５２に対応する位置には、定位画像６２が表示されるか、又は、何も表示されないかである。定位画像６２に割り当てられたサラウンドパン（定位）は、ノブ操作子では操作しない。従って、バス番号１１,１２,１３及び１４の４つの各物理操作子５２には、制御対象となるパラメータが割り当てられない。バス番号１５の物理操作子の制御対象は、レベル用操作子画像６３又は６６に割り当てられたＬＦＥレベルパラメータである。また、バス番号１６の物理操作子の制御対象は、レベル用操作子画像６４又は６７に割り当てられたレベルパラメータである。
【０１４５】
《物理操作子の操作に応じてパラメータの調整》
図１９は、物理操作子５２の操作に応じたパラメータの調整処理の手順を説明するフローチャートである。コンソール１のＣＰＵ１０は、セレクテッドｃｈ部に具わる１６個のノブ型物理操作子５２のいずれかの操作を検出したときに、図１９の処理を起動する。
【０１４６】
いずれかのノブ型物理操作子５２の操作を検出すると、ＣＰＵ１０は、ステップＳ３４において、該操作されたノブ型物理操作子５２の制御対象であるすべての入力ｃｈ及びパラメータを検出する。ノブ型物理操作子５２の制御対象のパラメータは、前述の通りセレクテッドｃｈ部に現在選択されている１つの入力ｃｈ（セレクテッドｃｈ）のチャンネルタイプと、バスタイプの組み合わせに応じて決定される。
【０１４７】
前記ステップＳ３４において、ノブ型物理操作子５２の制御対象として検出される入力ｃｈは、原則的には、セレクテッドｃｈ部に現在選択されている１つの入力ｃｈ（セレクテッドｃｈ）である。現在選択されている入力ｃｈがサラウンドｃｈグループに属する場合、例外的に、セレクテッドｃｈとは別の入力ｃｈを制御対象として検出するか、又は、セレクテッドｃｈが属するサラウンドｃｈグループ内の複数の入力ｃｈを制御対象として検出する。すなわち、ＬＦＥレベルパラメータが割り当てられたノブ型物理操作子５２（図１３（ｄ）の例ではバス番号１５に対応するもの）が操作された場合は、セレクテッドｃｈがサラウンドｃｈグループ内のいずれの入力ｃｈであっても、常に、制御対象として、ＬＦＥ用入力ｃｈを検出する。また、レベルパラメータが割り当てられたノブ型物理操作子５２（図１３（ｄ）の例ではバス番号１６に対応するもの）が操作された場合は、セレクテッドｃｈがサラウンドｃｈグループ内のいずれの入力ｃｈであっても、常に、制御対象として、サラウンドｃｈグループ内の５本の入力ｃｈ（Ｌ，Ｒ，Ｃ，Ｌｓ及びＲｓ）が検出される。
【０１４８】
ステップＳ３５において、ＣＰＵ１０は、検出したすべての入力ｃｈの、検出したパラメータの設定値を、検出したノブ型物理操作子５２の操作内容（操作量、操作向き等）に応じて、変更する。そして、該変更されたパラメータの設定値に基づいて、フラッシュメモリ１１に設けられたカレントメモリの記憶内容が更新される。
【０１４９】
《ステレオｃｈとステレオバスの組み合わせに関する変更例》
図２０（ａ）、（ｂ）は、図１７に示したステレオチャンネルとステレオバスの接続形態の変更例を説明する図である。図１７において、１つのステレオｃｈグループに属する入力ｃｈ「Ｌ」がステレオバスＬに接続され、また、同入力ｃｈ「Ｒ」がステレオバスＲに接続されていたところ、図２０（ａ）に示す接続形態では、１つのステレオｃｈグループに属する入力ｃｈ「Ｌ」及び「Ｒ」が、それぞれステレオバスＬ及びＲの両方に接続される。この場合、図１７におけるバランスパラメータ７９がパンパラメータ８２、８３に置き換わる。すなわち、ステレオｃｈグループの入力チャンネルＬは、レベルパラメータ７８及びパンパラメータ８２を介して、２系統に分配され、ステレオバスＬ及びＲに供給される。ステレオｃｈグループの入力チャンネルＲも同様に、レベルパラメータ７８及びパンパラメータ８３を介して、２系統に分配され、ステレオバスＬ及びＲに供給される。パンパラメータ８２、８３は、それぞれ、対応する入力ｃｈ（Ｌ又はＲ）からステレオバスＬ及びＲへのパンを調整する。
この接続形態を適用した場合、「ステレオｃｈ」用のステレオバス領域５７の表示デザインは、図２０（ｂ）に示す通り、図１３（ｃ）におけるバランス用操作子画像６５をパン用操作子画像８４に置換したものとなる。パン用操作子画像８４は、制御対象として、現在選択されている入力ｃｈ（「Ｌ」又は「Ｒ」）から、ステレオバスＬ及びＲへのパンを表示する。
【０１５０】
《サラウンドｃｈとステレオバスの組み合わせに関する変更例》
図２１（ａ）、（ｂ）は、図１８に示したステレオチャンネルとステレオバスの接続形態の変更例を説明する図である。図１８において、サラウンドｃｈグループを形成する６本の入力ｃｈ（Ｌ，Ｒ，Ｃ，Ｌｓ、Ｒｓ及びＬＦＥ）が、それぞれ個別に、ステレオバス（Ｌ及びＲ）に接続されていたところ、図２１（ａ）に示す接続形態では、サラウンドｃｈグループを形成する６本の入力ｃｈ（Ｌ，Ｒ，Ｃ，Ｌｓ、Ｒｓ及びＬＦＥ）はダウンミキシング部８５を介して、２ｃｈステレオ信号にミックスダウンされる。そして、該ミックスダウンされた２ｃｈステレオ信号のうちＬｃｈの信号がステレオバスＬに供給され、同Ｒｃｈの信号がステレオバスＲに供給される。ダウンミキシング部８５からステレオバスＬの間には、ミックスダウンされた２ｃｈステレオ信号のうちＬｃｈの信号をステレオバスＬに送出するセンドレベルを調整するためのＬｃｈ用センドレベル８６が挿入される。また、ダウンミキシング部８５からステレオバスＲの間には、ミックスダウンされた２ｃｈステレオ信号のうちＲｃｈの信号をステレオバスＲに送出するセンドレベルを調整するためのＲｃｈ用センドレベル８７が挿入される。
この接続形態を適用した場合、「サラウンドｃｈ」用のステレオバス領域５７の表示デザインは、図２０（ｂ）に示す通り、図１３（ｄ）におけるＬＦＥｃｈのレベル用操作子画像６６及びサラウンドｃｈのレベル用操作子画像６７を、それぞれ、Ｌｃｈのセンドレベル用操作子画像８８及びＲｃｈのセンドレベル用操作子画像８９に置換したものとなる。Ｌｃｈのセンドレベル用操作子画像８８は、現在選択されている１つの入力ｃｈ（セレクテッドｃｈ）がサラウンドｃｈグループ内のいずれの入力ｃｈであっても、常に、ミックスダウンされた２ｃｈステレオ信号のうちＬｃｈの信号をステレオバスＬに送出するセンドレベルを調整するＬｃｈ用センドレベルを表示する。また、Ｒｃｈのセンドレベル用操作子画像８９は、現在選択されている１つの入力ｃｈ（セレクテッドｃｈ）がサラウンドｃｈグループ内のいずれの入力ｃｈであっても、常に、ミックスダウンされた２ｃｈステレオ信号のうちＲｃｈの信号をステレオバスＲに送出するセンドレベルを調整するＲｃｈ用センドレベルを表示する。
【０１５１】
以上説明した第２実施例に示すセンドレベル領域の表示構成（図１３（ｂ）、（ｃ）及び（ｄ）に示す表示デザイン）によれば、セレクテッドｃｈ部に選択された入力ｃｈからバスへの経路に挿入されるパラメータを、入力ｃｈのチャンネルタイプとバスタイプの組み合わせに応じて、オペレータにとってわかり易い形態で効率的に表示することができる。また、図１３（ｂ）、（ｃ）及び（ｄ）に示す表示デザインにおいて、ステレオバス領域５７の表示位置はバス番号９，１０の物理操作子に対応しており、また、サラウンドバス領域５８の表示位置はバス番号１１〜１６に対応している。このため、センドレベル表示領域５４に表示されたパラメータが、いずれのバス番号のバスに関するものであるのか、及び、いずれの物理操作子５２に対応するものであるのかを、オペレータが、視覚的に理解しやすいという利点がある。
【０１５２】
なお、上記実施例では、コンソール１、Ｉ／Ｏ装置２、及びエンジン３からなるミキシングシステムに本発明を適用する例について説明したが、本発明は、コンソール１、Ｉ／Ｏ装置２、及びエンジン３の機能を１つの筐体に搭載したデジタルオーディオミキサにより構成及び実施することができる。また、ＣＰＵが実行するソフトウェアプログラムの処理により、本発明を適用したデジタルオーディオミキサの動作を構成及び実現することも可能である。
【０１５３】
なお、上記実施例のミキシングシステムは、例えば、コンサート会場や大規模イベントなどのＰＡ（Public Address（パブリック・アドレス））システムに用いるもの、デパート、学校など施設内における構内放送用のシステム、音楽レコーディングスタジオのレコーディングシステムなど、種々のシーンで利用されるオーディオミキシング用システム（音響システム）であってよい。
【符号の説明】
【０１５４】
１  ミキシングコンソール、２  ミキシングエンジン、３  Ｉ／Ｏ装置、６  オーディオネットワーク、７  ＰＣ、１０  ＣＰＵ、１１  フラッシュメモリ、１２  ＲＡＭ、１３  操作子、１４  音量レベル調整用操作子、１５  表示部、１６  その他Ｉ／Ｏ、１７  データ及び通信バス、２０  入力パッチ部、２１  入力チャンネル、２２  バス、２３  出力チャンネル、２４  出力パッチ部、３０  チャンネルブロック選択部、３１  ブロック選択ボタン、３２  ブロックタイプ選択部、３３  ブロックタイプ選択ボタン、３４  チャンネル表示部、３５  チャンネルボタン、４０  ステレオパン設定部、４１  サラウンドパン設定部、４２  バランス設定部、５０  物理操作子領域、５１  表示領域、５２  センドレベル調整用操作子、５３  バス群選択用スイッチ、５４  センドレベル表示領域、５５  センドレベル用操作子画像、５６  ノーマルバス領域、５７  ステレオバス領域、５８  サラウンドバス領域、５９  センドレベル用操作子画像、６０  パン用操作子画像、６１  レベル用操作子画像、６２  定位画像、６３、６６  ＬＦＥｃｈのレベル用操作子画像、６４、６７  サラウンドｃｈのレベル用操作子画像、６５  バランス用操作子画像、７０  センドレベルパラメータ、７１  センドオン・オフパラメータ、７２  センドレベルパラメータ、７３  ステレオｃｈのレベルパラメータ、７４  パンパラメータ、７５  サラウンドｃｈのレベルパラメータ、７６  サラウンドパンパラメータ、７７  ＬＦＥｃｈのレベルパラメータ、７８    ステレオｃｈのレベルパラメータ、７９  バランスパラメータ、８０  サラウンドｃｈのレベルパラメータ、８１  ＬＦＥｃｈのレベルパラメータ、８２、８３  パンパラメータ、８４  パン用操作子画像、８５  ダウンミキシング部、８６、８７  センドレベル、８８、８９  センドレベル用操作子画像
【図１】
2010252295.tif 000003
【図２】
2010252295.tif 000004
【図３】
2010252295.tif 000005
【図４】
2010252295.tif 000006
【図５】
2010252295.tif 000007
【図６】
2010252295.tif 000008
【図７】
2010252295.tif 000009
【図８】
2010252295.tif 000010
【図９】
2010252295.tif 000011
【図１０】
2010252295.tif 000012
【図１１】
2010252295.tif 000013
【図１２】
2010252295.tif 000014
【図１３】
2010252295.tif 000015
【図１４】
2010252295.tif 000016
【図１５】
2010252295.tif 000017
【図１６】
2010252295.tif 000018
【図１７】
2010252295.tif 000019
【図１８】
2010252295.tif 000020
【図１９】
2010252295.tif 000021
【図２０】
2010252295.tif 000022
【図２１】
2010252295.tif 000023